(57)【要約】可搬性及び一覧性に優れた表示装置又は電子機器を提供する。２つの表示パネルを重ねて有し、２つの表示パネルが重なっている部分の面積が可変である表示装置を提供する。２つの表示パネルが重なる面積を広げるほど、表示装置が小型になる。第１の表示パネルは、表示を行う第１の領域を有し、第２の表示パネルは、表示を行う第２の領域と、第２の領域と隣接し、かつ、可視光を透過する第３の領域と、を有する。第１の領域の表示を行う面側に第３の領域を重ねることで、継ぎ目のない広い表示領域を用いて、表示を行うことができる。
2016116833.tif 000002
【特許請求の範囲】
【請求項１】
第１の表示パネル及び第２の表示パネルを有する表示装置であり、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記表示装置は、第１の部分を有し、
前記第１の部分では、前記第１の表示パネルと前記第２の表示パネルの少なくとも前記第３の領域とが互いに重なり、
前記第１の部分の面積は可変である、表示装置。
【請求項２】
請求項１において、
前記表示装置は、前記第１の表示パネルと前記第２の表示パネルとを、端部が三辺以上揃った状態で重ねる機能を有する、表示装置。
【請求項３】
請求項１において、
前記表示装置は、前記第１の表示パネルと前記第２の表示パネルの位置を第１の状態で固定する機能を有し、
前記第１の状態では、前記第１の領域の表示面が前記第３の領域と重なる、表示装置。
【請求項４】
第１の表示パネル、第２の表示パネル、第１の支持パネル、第２の支持パネル、及びヒンジ部を有する表示装置であり、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記第１の支持パネルは、前記第１の表示パネルを支持し、
前記第２の支持パネルは、前記第２の表示パネルを支持し、
前記ヒンジ部は、前記第１の支持パネルと前記第２の支持パネルとを接続し、
前記表示装置は、第１の部分を有し、
前記第１の部分では、前記第１の表示パネルと前記第２の表示パネルの少なくとも前記第３の領域とが互いに重なり、
前記ヒンジ部は、前記第１の部分の面積が可変となるように、前記第１の支持パネルと前記第２の支持パネルとを接続する、表示装置。
【請求項５】
請求項４において、
前記ヒンジ部は、第１のユニットと、前記第１のユニットと平行な第２のユニットと、を有し、
前記第１のユニット及び前記第２のユニットは、それぞれ、第１の軸、第２の軸、及びアームを有し、
前記アームは、第１の軸を中心に回動可能に接続され、
前記アームは、第２の軸を中心に回動可能に接続される、表示装置。
【請求項６】
請求項４において、
前記ヒンジ部は、第１のユニットと、前記第１のユニットと平行な第２のユニットと、を有し、
前記第１のユニット及び前記第２のユニットは、それぞれ、第１の軸、第２の軸、第３の軸、第１のアーム、及び第２のアームを有し、
前記第１のアームは、第１の軸を中心に回動可能に接続され、
前記第１のアームは、第３の軸を中心に回動可能に接続され、
前記第２のアームは、第２の軸を中心に回動可能に接続され、
前記第２のアームは、第３の軸を中心に回動可能に接続される、表示装置。
【請求項７】
請求項１において、
前記第１の表示パネル及び前記第２の表示パネルの少なくとも一方は、可撓性を有する、表示装置。
【請求項８】
請求項１において、
前記第１の表示パネル及び前記第２の表示パネルの少なくとも一方は、曲面を有する、表示装置。
【請求項９】
請求項１において、
前記第１の領域は、画素を有し、
前記第３の領域と前記画素が重なる第４の領域は、０°より大きく、５０°未満の角度を有する、表示装置。
【請求項１０】
第１の表示パネルと、
筐体と、
通信手段と、を有する電子機器であり、
前記筐体の内部に、前記第１の表示パネルが位置し、
前記第１の表示パネルは、第１の領域及び第２の領域を有し、
前記第１の領域は、表示を行う機能を有し、
前記第２の領域は、前記第１の領域と隣接し、かつ、可視光を透過する機能を有し、
前記筐体は、前記第２の領域を露出する機構を有し、
前記電子機器は、前記第２の領域が、他の電子機器が有する第２の表示パネルの一部と重なり、前記通信手段を用いて前記他の電子機器と通信することで、前記第１の表示パネルと、前記第２の表示パネルとを、１つの表示領域として用いる機能を有する、電子機器。
【請求項１１】
請求項１０において、
前記筐体の一部を取り外す又は回動することで、前記第２の領域が露出する、電子機器。
【請求項１２】
第１の表示パネルと、
筐体と、
通信手段と、を有する電子機器であり、
前記筐体の内部に、前記第１の表示パネルが位置し、
前記第１の表示パネルは、第１の領域を有し、
前記第１の領域は、表示を行う機能を有し、
前記筐体は、前記第１の領域を露出する機構を有し、
前記電子機器は、前記第１の領域が、他の電子機器が有する第２の表示パネルの可視光を透過する部分と重なり、前記通信手段を用いて前記他の電子機器と通信することで、前記第１の表示パネルと、前記第２の表示パネルとを、１つの表示領域として用いる機能を有する、電子機器。
【請求項１３】
請求項１２において、
前記筐体の一部を取り外す又は回動することで、前記第１の領域を露出する、電子機器。
【請求項１４】
第１の表示パネルと、
筐体と、
通信手段と、を有する電子機器であり、
前記筐体の内部に、前記第１の表示パネルが位置し、
前記第１の表示パネルは、第１の領域及び第２の領域を有し、
前記第１の領域は、表示を行う機能を有し、
前記第２の領域は、前記第１の領域と隣接し、かつ、可視光を透過する機能を有し、
前記筐体は、前記第１の領域及び前記第２の領域を、前記第１の表示パネルの表示面のそれぞれ異なる辺側から露出することができる機構を有し、
前記第１の領域が、他の電子機器が有する第２の表示パネルの一部と重なり、前記通信手段を用いて前記他の電子機器と通信することで、前記第１の表示パネルと、前記第２の表示パネルとを、１つの表示領域として用いる機能を有し、
前記電子機器は、前記第２の領域が、他の電子機器が有する第３の表示パネルの可視光を透過する部分と重なり、前記通信手段を用いて前記他の電子機器と通信することで、前記第１の表示パネルと、前記第３の表示パネルとを、１つの表示領域として用いる機能を有する、電子機器。
【請求項１５】
請求項１４において、
前記筐体の一部を取り外す又は回動することで、前記第１の領域及び前記第２の領域を露出する、電子機器。
【請求項１６】
第１の表示パネルと、
筐体と、
通信手段と、を有する電子機器であり、
前記筐体の内部に、前記第１の表示パネルが位置し、
前記第１の表示パネルは、第１の領域及び第２の領域を有し、
前記第１の領域は、表示を行う機能を有し、
前記第２の領域は、前記第１の領域と隣接し、かつ、可視光を透過する機能を有し、
前記筐体は、前記第２の領域と重なり、かつ、可視光を透過する部分を有し、
前記電子機器は、前記筐体の可視光を透過する部分が、他の電子機器が有する第２の表示パネルの一部と重なり、前記通信手段を用いて前記他の電子機器と通信することで、前記第１の表示パネルと、前記第２の表示パネルとを、１つの表示領域として用いる機能を有する、電子機器。
【請求項１７】
請求項１０において、
前記第１の表示パネルは、可撓性を有する、電子機器。
【請求項１８】
請求項１０において、
前記第１の表示パネルは、曲面を有する、電子機器。
【請求項１９】
請求項１０において、
アンテナ、バッテリ、スピーカ、マイク、又は操作ボタンの少なくともいずれか一を有する、電子機器。
【発明の詳細な説明】
【技術分野】
【０００１】本発明の一態様は、表示装置及び電子機器に関する。【０００２】なお、本発明の一態様は、上記の技術分野に限定されない。本発明の一態様の技術分野としては、半導体装置、表示装置、発光装置、蓄電装置、記憶装置、電子機器、照明装置、入力装置（例えば、タッチセンサなど）、入出力装置（例えば、タッチパネルなど）、それらの駆動方法、又は、それらの製造方法を一例として挙げることができる。
【背景技術】
【０００３】近年、発光装置及び表示装置は様々な用途への応用が期待されており、多様化が求められている。【０００４】例えば、家庭用のテレビジョン装置（テレビ又はテレビジョン受信機ともいう）、デジタルサイネージ（Ｄｉｇｉｔａｌ  Ｓｉｇｎａｇｅ：電子看板）、ＰＩＤ（Ｐｕｂｌｉｃ  Ｉｎｆｏｒｍａｔｉｏｎ  Ｄｉｓｐｌａｙ）等の用途では、表示装置の大型化が求められている。表示装置の表示領域が広いほど、一度に提供できる情報量を増やすことができる。また、表示領域が広いほど、人の目につきやすく、例えば、広告の宣伝効果を高めることが期待される。【０００５】また、携帯機器用途においても、表示装置の大型化が求められている。表示領域を広くすることで一度に表示する情報量を増やし、一覧性の向上を図ることが検討されている。一方で、携帯機器用途では、可搬性を高めるために、表示装置の小型化も求められている。【０００６】エレクトロルミネッセンス（Ｅｌｅｃｔｒｏｌｕｍｉｎｅｓｃｅｎｃｅ、以下ＥＬとも記す）現象を利用した発光素子（ＥＬ素子とも記す）は、薄型軽量化が容易である、入力信号に対し高速に応答可能である、直流低電圧電源を用いて駆動可能である等の特徴を有し、表示装置への応用が検討されている。【０００７】例えば、特許文献１に、有機ＥＬ素子が適用されたフレキシブルな発光装置が開示されている。
【先行技術文献】
【特許文献】
【０００８】
【特許文献１】特開２０１４−１９７５２２号公報
【発明の概要】
【発明が解決しようとする課題】
【０００９】本発明の一態様は、可搬性に優れた表示装置又は電子機器を提供することを課題の一とする。または、本発明の一態様は、一覧性に優れた表示装置又は電子機器を提供することを課題の一とする。または、本発明の一態様は、曲面に沿って表示することが可能な表示装置又は電子機器を提供することを課題の一とする。【００１０】または、本発明の一態様は、破損しにくい表示装置又は電子機器を提供することを課題の一とする。または、本発明の一態様は、信頼性が高い表示装置又は電子機器を提供することを課題の一とする。または、本発明の一態様は、消費電力が低い表示装置又は電子機器を提供することを課題の一とする。または、本発明の一態様は、新規な発光装置、表示装置、入出力装置、電子機器、もしくは照明装置等を提供することを課題の一とする。【００１１】または、本発明の一態様は、軽量な表示装置等を提供することを課題の一とする。または、本発明の一態様は、厚さが薄い表示装置等を提供することを課題の一とする。または、本発明の一態様は、可撓性を有する表示装置等を提供することを課題の一とする。または、本発明の一態様は、継ぎ目のない広い発光領域を有する発光装置もしくは照明装置、又は継ぎ目のない広い表示領域を有する表示装置、入出力装置、もしくは電子機器を提供することを課題の一とする。【００１２】なお、これらの課題の記載は、他の課題の存在を妨げるものではない。なお、本発明の一態様は、これらの課題の全てを解決する必要はないものとする。なお、明細書、図面、請求項の記載から、これら以外の課題を抽出することが可能である。
【課題を解決するための手段】
【００１３】本発明の一態様は、第１の表示パネル及び第２の表示パネルを有する表示装置であり、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有する。また、該表示装置は、第１の部分を有し、第１の部分では、第１の表示パネルと第２の表示パネルの少なくとも第３の領域とが互いに重なり、第１の部分の面積は可変である。【００１４】上記構成の表示装置において、第１の表示パネルと第２の表示パネルとは、端部の少なくとも一部が互いに重なることができると好ましい。例えば、１つの表示パネルが四角形である場合、端部が三辺以上揃った状態で互いに重なることができると好ましい。【００１５】上記各構成の表示装置は、第１の表示パネルと第２の表示パネルの位置を第１の状態で固定する機能を有することが好ましい。第１の状態では、第１の領域の表示を行う面（表示面ともいう）が第３の領域と重なる。【００１６】または、本発明の一態様は、第１の表示パネル、第２の表示パネル、第１の支持パネル、第２の支持パネル、及びヒンジ部を有する表示装置であり、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有し、第１の支持パネルは、第１の表示パネルを支持し、第２の支持パネルは、第２の表示パネルを支持する。ヒンジ部は、第１の支持パネルと第２の支持パネルとの相対的な位置関係が可変となるように、第１の支持パネルと第２の支持パネルとを接続する。また、表示装置は、第１の部分を有し、第１の部分では、第１の表示パネルと第２の表示パネルの少なくとも第３の領域とが互いに重なり、第１の部分の面積は可変である。つまり、ヒンジ部は、第１の部分の面積が可変となるように、第１の支持パネルと第２の支持パネルとを接続しているともいえる。【００１７】上記構成の表示装置において、ヒンジ部は、第１のユニット及び第２のユニットを有し、第１のユニット及び第２のユニットは、それぞれ、第１の軸、第２の軸、及びアームを有し、アームは、第１の軸を中心に回動可能に接続され、アームは、第２の軸を中心に回動可能に接続されることが好ましい。【００１８】または、上記構成の表示装置において、ヒンジ部は、第１のユニット及び第２のユニットを有し、第１のユニット及び第２のユニットは、それぞれ、第１の軸、第２の軸、第３の軸、第１のアーム、及び第２のアームを有し、第１のアームは、第１の軸を中心に回動可能に接続され、第１のアームは、第３の軸を中心に回動可能に接続され、第２のアームは、第２の軸を中心に回動可能に接続され、第２のアームは、第３の軸を中心に回動可能に接続されることが好ましい。【００１９】上記各構成の表示装置において、第１の領域が有する画素と、第３の領域の長辺と、がなす角度が、０°より大きく、５０°未満であることが好ましい。または、上記各構成の表示装置において、第１の領域が��する画素と、第３の領域と、が重なる領域は、０°より大きく、５０°未満の角度を有することが好ましい。【００２０】または、上記各構成の表示装置は、第１の表示パネル及び第２の表示パネルにそれぞれＦＰＣ（Ｆｌｅｘｉｂｌｅ  ｐｒｉｎｔｅｄ  ｃｉｒｃｕｉｔ）もしくはＴＣＰ（Ｔａｐｅ  Ｃａｒｒｉｅｒ  Ｐａｃｋａｇｅ）などのコネクタが取り付けられたモジュール、又はＣＯＧ（Ｃｈｉｐ  Ｏｎ  Ｇｌａｓｓ）方式、ＣＯＦ（Ｃｈｉｐ  Ｏｎ  Ｆｉｌｍ）方式等によりＩＣが実装されたモジュール等のモジュールを有していてもよい。【００２１】または、本発明の一態様では、上記のいずれかの構成が、表示装置でなく、発光装置又は入出力装置（タッチパネルなど）に適用されていてもよい。【００２２】または、本発明の一態様は、第１の表示パネルと、筐体と、通信手段と、を有する電子機器である。筐体の内部に、第１の表示パネルが位置し、第１の表示パネルは、第１の領域及び第２の領域を有し、第１の領域は、表示を行う機能を有し、第２の領域は、第１の領域と隣接し、かつ、可視光を透過する機能を有し、筐体は、第２の領域を露出する機構を有する。電子機器は、第２の領域が、他の電子機器が有する第２の表示パネルの一部と重なり、通信手段を用いて他の電子機器と通信することで、第１の表示パネルと、第２の表示パネルとを、１つの表示領域として用いる機能を有する。【００２３】または、本発明の一態様は、第１の表示パネルと、筐体と、通信手段と、を有する電子機器である。筐体の内部に、第１の表示パネルが位置し、第１の表示パネルは、第１の領域を有し、第１の領域は、表示を行う機能を有し、筐体は、第１の領域を露出することができる機構を有する。電子機器は、第１の領域が、他の電子機器が有する第２の表示パネルの可視光を透過する部分と重なり、通信手段を用いて他の電子機器と通信することで、第１の表示パネルと、第２の表示パネルとを、１つの表示領域として用いる機能を有する。【００２４】または、本発明の一態様は、第１の表示パネルと、筐体と、通信手段と、を有する電子機器である。筐体の内部に、第１の表示パネルが位置し、第１の表示パネルは、第１の領域及び第２の領域を有し、第１の領域は、表示を行う機能を有し、第２の領域は、第１の領域と隣接し、かつ、可視光を透過する機能を有し、筐体は、第１の領域及び第２の領域を、前記第１の表示パネルの表示面のそれぞれ異なる辺側から露出することができる機構を有する。電子機器は、第１の領域が、他の電子機器が有する第２の表示パネルの一部と重なり、通信手段を用いて他の電子機器と通信することで、第１の表示パネルと、第２の表示パネルとを、１つの表示領域として用いる機能を有する。電子機器は、第２の領域が、他の電子機器が有する第３の表示パネルの可視光を透過する部分と重なり、通信手段を用いて他の電子機器と通信することで、第１の表示パネルと、第３の表示パネルとを、１つの表示領域として用いる機能を有する。【００２５】上記各構成の電子機器において、筐体の一部を取り外す又は回動することで、第１の領域及び第２の領域のうち少なくとも一方を露出することができると好ましい。【００２６】または、本発明の一態様は、第１の表示パネルと、筐体と、通信手段と、を有する電子機器である。筐体の内部に、第１の表示パネルが位置し、第１の表示パネルは、第１の領域及び第２の領域を有し、第１の領域は、表示を行う機能を有し、第２の領域は、第１の領域と隣接し、かつ、可視光を透過する機能を有し、筐体は、第２の領域と重なり、かつ、可視光を透過する部分を有する。電子機器は、筐体の可視光を透過する部分が、他の電子機器が有する第２の表示パネルの一部と重なり、通信手段を用いて他の電子機器と通信することで、第１の表示パネルと、第２の表示パネルとを、１つの表示領域として用いる機能を有する。【００２７】上記各構成の電子機器において、アンテナ、バッテリ、スピーカ、マイク、又は操作ボタンの少なくともいずれか一を有することが好ましい。【００２８】上記各構成の表示装置及び電子機器において、第１の表示パネルは、可撓性を有することが好ましい。また、上記各構成の表示装置において、第２の表示パネルは、可撓性を有することが好ましい。【００２９】上記各構成の表示装置及び電子機器において、第１の表示パネルは、曲面を有することが好ましい。また、上記各構成の表示装置において、第２の表示パネルは、曲面を有することが好ましい。
【発明の効果】
【００３０】本発明の一態様では、可搬性に優れた表示装置又は電子機器を提供できる。または、本発明の一態様では、一覧性に優れた表示装置又は電子機器を提供できる。または、本発明の一態様では、曲面に沿って表示することが可能な表示装置又は電子機器を提供できる。【００３１】または、本発明の一態様では、破損しにくい表示装置又は電子機器を提供することができる。または、本発明の一態様では、信頼性が高い表示装置又は電子機器を提供することができる。または、本発明の一態様では、消費電力が低い表示装置又は電子機器を提供することができる。または、本発明の一態様では、新規な発光装置、表示装置、入出力装置、電子機器、もしくは照明装置等を提供することができる。【００３２】または、本発明の一態様では、軽量な表示装置等を提供することができる。または、本発明の一態様では、厚さが薄い表示装置等を提供することができる。または、本発明の一態様では、可撓性を有する表示装置等を提供することができる。または、本発明の一態様では、継ぎ目のない広い発光領域を有する発光装置もしくは照明装置、又は継ぎ目のない広い表示領域を有する表示装置、入出力装置、もしくは電子機器を提供できる。【００３３】なお、これらの効果の記載は、他の効果の存在を妨げるものではない。なお、本発明の一態様は、必ずしも、これらの効果の全てを有する必要はない。なお、明細書、図面、請求項の記載から、これら以外の効果を抽出することが可能である。
【図面の簡単な説明】
【００３４】
【図１】表示装置の一例を示す図。
【図２】表示装置の一例を示す図。
【図３】表示装置の一例を示す図。
【図４】表示装置の一例を示す図。
【図５】表示装置の一例を示す図。
【図６】表示装置の一例を示す図。
【図７】表示装置の一例を示す図。
【図８】電子機器の一例を示す図。
【図９】電子機器の一例を示す図。
【図１０】電子機器の一例を示す図。
【図１１】表示装置の一例を示す図。
【図１２】画素と可視光を透過する領域の配置の一例を示す図。
【図１３】表示装置の一例を示す図。
【図１４】表示装置の一例を示す図。
【図１５】電子機器の一例を示す図。
【図１６】電子機器の一例を示す図。
【図１７】電子機器の一例を示す図。
【図１８】電子機器の一例を示す図。
【図１９】電子機器の一例を示す図。
【図２０】電子機器の一例を示す図。
【図２１】電子機器の一例を示す図。
【図２２】表示装置及び電子機器の使用例を示す図。
【図２３】表示装置の一例を示す図。
【図２４】表示装置の一例を示す図。
【図２５】発光パネルの一例を示す図。
【図２６】表示装置の一例を示す図。
【図２７】発光パネルの一例を示す図。
【図２８】発光パネルの一例を示す図。
【図２９】タッチパネルの一例を示す図。
【図３０】タッチパネルの一例を示す図。
【図３１】タッチパネルの一例を示す図。
【図３２】タッチパネルの一例を示す図。
【図３３】表示パネルの一例を説明する図。
【図３４】液晶表示パネルの一例を説明する図。
【発明を実施するための形態】
【００３５】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３６】なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３７】また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００３８】なお、「膜」という言葉と、「層」という言葉とは、場合によっては、又は、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００３９】（実施の形態１）
本実施の形態では、本発明の一態様の表示装置及び電子機器について図１乃至図１８を用いて説明する。
【００４０】複数の表示パネルを一以上の方向（例えば、一列又はマトリクス状等）に並べることで、広い表示領域を有する表示装置を作製することができる。
【００４１】複数の表示パネルを用いて大型の表示装置を作製する場合、１つの表示パネルの大きさは大型である必要がない。したがって、該表示パネルを作製するための製造装置を大型化しなくてもよく、省スペース化が可能である。また、中小型の表示パネルの製造装置を用いることができ、表示装置の大型化のために新規な製造装置を利用しなくてもよいため、製造コストを抑えることができる。また、表示パネルの大型化に伴う歩留まりの低下を抑制できる。
【００４２】表示パネルの大きさが同じである場合、１つの表示パネルを有する表示装置に比べ、複数の表示パネルを有する表示装置の方が、表示領域が広く、一度に表示できる情報量が多い等の効果を有する。
【００４３】しかし、各表示パネルは表示領域を囲むように非表示領域を有する。したがって、例えば、複数の表示パネルの出力画像を合わせて１つの画像を表示する場合、当該１つの画像は、表示装置の使用者にとって分離したように視認されてしまう。
【００４４】各表示パネルの非表示領域を狭くする（狭額縁な表示パネルを用いる）ことで、各表示パネルの表示が分離して見えることを抑制できるが、表示パネルの非表示領域を完全になくすことは困難である。
【００４５】また、表示パネルの非表示領域の面積が狭いと、表示パネルの端部と表示パネル内の素子との距離が短くなり、表示パネルの外部から侵入する不純物によって、素子が劣化しやすくなる場合がある。
【００４６】そこで、本発明の一態様の表示装置では、複数の表示パネルを重ねて配置する。重ねた２つの表示パネルのうち、少なくとも表示面側（上側）に位置する表示パネルは、可視光を透過する領域を表示領域と隣接して有する。本発明の一態様では、下側に配置される表示パネルの表示領域と、上側に配置される表示パネルの可視光を透過する領域とが重なる。したがって、重ねた２つの表示パネルの表示領域の間の非表示領域を縮小すること、さらには無くすことができる。これにより、使用者から表示パネルの継ぎ目が認識されにくい、大型の表示装置を実現することができる。
【００４７】上側に位置する表示パネルの非表示領域の少なくとも一部は、可視光を透過する領域であり、下側に位置する表示パネルの表示領域と重ねることができる。また、下側に位置する表示パネルの非表示領域の少なくとも一部は、上側に位置する表示パネルの表示領域、又は可視光を遮る領域と重ねることができる。これらの部分については、表示装置の狭額縁化（表示領域以外の面積の縮小化）に影響しないため、面積の縮小化をしなくてもよい。
【００４８】表示パネルの非表示領域が広いと、表示パネルの端部と表示パネル内の素子との距離が長くなり、表示パネルの外部から侵入する不純物によって、素子が劣化することを抑制できる。例えば、表示素子として有機ＥＬ素子を用いる場合は、表示パネルの端部と有機ＥＬ素子との距離を長くするほど、表示パネルの外部から水分又は酸素等の不純物が有機ＥＬ素子に侵入しにくくなる（又は到達しにくくなる）。本発明の一態様の表示装置では、表示パネルの非表示領域の面積を十分に確保できるため、有機ＥＬ素子等を用いた表示パネルを適用しても、信頼性が高い大型の表示装置を実現できる。
【００４９】一方で、大型の表示装置は、持ち運びが困難である場合がある。また、広い収納スペースを必要とする場合がある。
【００５０】また、用途に応じて、表示領域の適切な大きさは変わるため、１つの表示装置の表示領域の大きさが可変であると、表示装置を様々な状況で用いることができる。
【００５１】そこで、本発明の一態様の表示装置では、２つの表示パネルが重なっている部分の面積を可変とする。２つの表示パネルが重なる面積を広くするほど、表示装置が小型になり、可搬性を高めることができる。また、２つの表示パネルが重なっている部分の面積を可変とすることで、表示装置の表示領域の面積も可変とすることができる。例えば、表示装置の表示領域の面積は、表示装置が有する複数の表示パネルの表示領域の面積の総和となるときが最も広く、２つ以上の表示パネルが重なっている部分の面積を広げるほど、表示装置の表示領域の面積は狭くなる。
【００５２】＜表示装置の例１＞
まず、本発明の一態様の表示装置について、説明する。
【００５３】図１（Ａ１）、（Ｂ１）、（Ｃ１）に、表示装置１０の上面図をそれぞれ示す。
【００５４】表示装置１０は、表示パネル１００ａ、表示パネル１００ｂ、及び表示パネル１００ｃを有する。
【００５５】図１（Ａ２）、（Ａ３）に、図１（Ａ１）に示す表示装置１０の側面図をそれぞれ示す。図１（Ａ２）は、表示パネルの長辺側の側面図であり、図１（Ａ３）は、表示パネルの短辺側の側面図である。図１（Ｂ２）に、図１（Ｂ１）に示す表示装置１０の側面図を示す。図１（Ｃ２）に、図１（Ｃ１）に示す表示装置１０の側面図を示す。図１（Ｂ２）及び図１（Ｃ２）は、それぞれ、表示パネルの短辺側の側面図である。
【００５６】図１（Ｃ１）、（Ｃ２）に示す表示装置１０は、表示パネル１００ａ上に、表示パネル１００ｂを有し、表示パネル１００ｂ上に、表示パネル１００ｃを有する。
【００５７】表示装置１０は、図１（Ａ１）の状態と図１（Ｂ１）の状態の一方から他方に変化することができる。また、表示装置１０は、図１（Ｂ１）の状態と図１（Ｃ１）の状態の一方から他方に変化することができる。つまり、表示装置１０は、図１（Ａ１）の状態と図１（Ｃ１）の状態の一方から他方に変化することができる。
【００５８】例えば、表示装置１０を使用する際には、図１（Ａ１）に太線で示すように、広い表示領域１１を用いて表示を行うことができる。また、表示装置１０を使用しない際には、図１（Ｂ１）、（Ｃ１）に示すように、２つ以上の表示パネルが重なる面積をより広くすることで、表示装置１０を小型化することができる。これにより、表示装置１０の可搬性を高めることができる。また、表示装置１０の収納スペースを狭くすることができる。
【００５９】また、表示装置１０は、表示領域１１の面積を自由に変えることができる装置である。図１（Ａ１）、（Ｂ１）に示すように、複数の表示パネルを用いて表示を行うだけでなく、図１（Ｃ１）に示すように、最も上側に位置する表示パネルのみを用いて表示を行うこともできる。なお、表示装置１０で表示を行う場合は、複数の表示パネルのうちの１つ以上を用いればよく、全ての表示パネルを用いなくてもよい。
【００６０】また、表示装置１０で表示を行う場合に、各表示パネルの表示領域全体で表示を行う必要はない。例えば、図１（Ｂ１）に示すように、表示領域１０１ｃ全体と、表示領域１０１ｂの一部と、表示領域１０１ａの一部と、からなる領域を、表示装置の表示領域１１として用いてもよい。本発明の一態様では、上下の表示パネルが重なっている領域の面積、又は、表示領域１１における上側の表示パネルの表示領域と下側の表示パネルの表示領域との境界の座標等の情報を得られることが好ましい。例えば、後述する支持パネルやヒンジ部、筐体等に、センサを有することが好ましい。センサとしては、赤外線センサ等の光センサ、超音波センサ、スイッチ等が挙げられる。これにより、表示装置は、各表示パネルの表示領域のうち、表示領域１１として用いる領域を判断することができる。例えば、表示領域１１に１つの画像を表示することができる。また、各表示パネルの表示領域のうち、表示領域１１として使用しない部分を非表示とすることで、表示装置１０の消費電力を低減することができる。
【００６１】なお、本実施の形態では、主に平滑な表示パネルを有する表示装置を例に挙げて説明するが、本発明の一態様において、表示パネルは曲面を有していてもよい。本発明の一態様は、湾曲した複数の表示パネルを有し、２つの表示パネルの重なる面積が可変である表示装置である。例えば、それぞれ湾曲した、表示パネル１００ａ、表示パネル１００ｂ、及び表示パネル１００ｃを有し、図１（Ａ４）の状態と図１（Ｃ３）の状態の一方から他方に変化することができる構成が挙げられる。なお、表示装置は、湾曲した表示パネルと平滑な表示パネルの双方を有していてもよい。
【００６２】また、本発明の一態様において、表示パネルは可撓性を有していてもよい。例えば、図１（Ａ３）の状態と図１（Ａ４）の状態の一方から他方に変化することができる構成も本発明の一態様である。なお、表示パネルを曲げる場合、表示面が内側になる（表示面が凹曲面になる）ように曲げてもよいし、表示面が外側になる（表示面が凸曲面になる）ように曲げてもよい。
【００６３】なお、本実施の形態では、各々の表示パネル同士、各々の表示パネルに含まれる構成要素同士、又は各々の表示パネルに関連する構成要素同士を区別するために、符号の後にアルファベットを付記して説明する。特に説明のない限り、最も下側（表示面側とは反対側）に配置される表示パネル又は構成要素に対して「ａ」を付記し、その上側に配置される一以上の表示パネル及びその構成要素に対しては、下側から順に「ｂ」、「ｃ」、とアルファベット順に付記することとする。また、特に説明のない限り、複数の表示パネルを備える構成を説明する場合であっても、各々の表示パネル又は構成要素に共通する事項を説明する場合には、アルファベットを省略して説明する。
【００６４】表示装置を構成する表示パネルをそれぞれ独立に取り外しできると、例えば、１つの表示パネルの表示に不具合が生じた場合、当該表示不良となった表示パネルのみを、新しい表示パネルに交換することができる。他の表示パネルは継続して使用することで、表示装置をより長く、低コストに使用することができる。
【００６５】表示パネル１００は、それぞれ、表示領域１０１及び領域１０２を有する。表示パネル１００は、可撓性を有していてもよい。
【００６６】表示領域１０１は、マトリクス状に配置された複数の画素を含み、画像を表示することが可能である。各画素には１つ以上の表示素子が設けられている。表示素子としては、例えば、有機ＥＬ素子などの発光素子、又は液晶素子等を用いることができる。
【００６７】領域１０２は、表示領域１０１以外の領域であり、非表示領域と呼ぶこともできる。領域１０２は、可視光を透過する領域１１０及び可視光を遮る領域１２０を有する。可視光を透過する領域１１０及び可視光を遮る領域１２０は、それぞれ、表示領域１０１と隣接する。領域１０２のうち、可視光を透過する領域１１０及び可視光を遮る領域１２０以外の部分の透光性は問わない。
【００６８】可視光を透過する領域１１０には、可視光を透過する材料を用いる。例えば、表示パネルを構成する基板、接着層等を含んでいてもよい。可視光を透過する領域１１０の可視光の透過率は、高いほど、下に重なる表示パネルの光取り出し効率を高められるため、好ましい。例えば、可視光を透過する領域１１０において、波長４５０ｎｍ以上７００ｎｍ以下の範囲の光の透過率の平均値は、７０％以上であると好ましく、８０％以上であるとより好ましく、９０％以上であるとさらに好ましい。なお、表示装置において、最も下側（表示面とは反対側）に配置される表示パネル（ここでは、表示パネル１００ａ）には、可視光を透過する領域１１０は設けられていなくてもよい。
【００６９】可視光を遮る領域１２０には、例えば表示領域１０１に含まれる画素（又は表示素子）に電気的に接続する配線が設けられている。また、このような配線に加え、画素を駆動するための駆動回路（走査線駆動回路、信号線駆動回路等）が設けられていてもよい。また、可視光を遮る領域１２０にはＦＰＣ等と電気的に接続する端子（接続端子ともいう）、及び当該端子と電気的に接続する配線等を含む。
【００７０】図１（Ａ１）において、表示パネル１００ｂは、その一部が表示パネル１００ａの上側（表示面側）に重ねて配置されている。具体的には、表示パネル１００ａの表示領域１０１ａ上に表示パネル１００ｂの可視光を透過する領域１１０ｂが重なるように配置されている。また、表示パネル１００ａの表示領域１０１ａ上に表示パネル１００ｂの可視光を遮る領域１２０ｂが重ならないように配置されている。また、表示パネル１００ａの領域１０２ａ（可視光を遮る領域１２０ａを含む）上に表示パネル１００ｂの表示領域１０１ｂが重なるように配置されている。
【００７１】同様に、図１（Ａ１）において、表示パネル１００ｃは、その一部が表示パネル１００ｂの上側（表示面側）に重ねて配置されている。具体的には、表示パネル１００ｂの表示領域１０１ｂ上に表示パネル１００ｃの可視光を透過する領域１１０ｃが重なるように配置されている。また、表示パネル１００ｂの表示領域１０１ｂ上に表示パネル１００ｃの可視光を遮る領域１２０ｃが重ならないように配置されている。また、表示パネル１００ｂの領域１０２ｂ（可視光を遮る領域１２０ｂを含む）上に表示パネル１００ｃの表示領域１０１ｃが重なるように配置されている。
【００７２】図１（Ａ１）において、表示領域１０１ａ上には可視光を透過する領域１１０ｂが重なるため、表示パネル１００ｂが表示パネル１００ａの表示面上に重なっていても、表示装置１０の使用者は、表示領域１０１ａの表示全体を視認することが可能となる。同様に、表示領域１０１ｂも可視光を透過する領域１１０ｃが重なるため、表示パネル１００ｃが表示パネル１００ｂの表示面上に重なっていても、表示装置１０の使用者は、表示領域１０１ｂの表示全体を視認することが可能となる。
【００７３】また、図１（Ａ１）において、領域１０２ａ（可視光を遮る領域１２０ａを含む）の上側に、表示パネル１００ｂの表示領域１０１ｂが重なることで、使用者に、表示領域１０１ａと表示領域１０１ｂとの間に非表示領域が視認されることはない。同様に、領域１０２ｂ（可視光を遮る領域１２０ｂを含む）の上側に、表示パネル１００ｃの表示領域１０１ｃが重なることで、使用者に、表示領域１０１ｂと表示領域１０１ｃとの間に非表示領域が視認されることはない。したがって、表示領域１０１ａ、１０１ｂ、１０１ｃが継ぎ目なく配置された領域を表示装置１０の表示領域１１とすることが可能となる。
【００７４】また、図１（Ｂ１）において、表示パネル１００ａの表示領域１０１ａ上に、表示パネル１００ｂの可視光を透過する領域１１０ｂと表示領域１０１ｂとが重なるように配置されている。同様に、図１（Ｂ１）において、表示パネル１００ｂの表示領域１０１ｂ上に、表示パネル１００ｃの可視光を透過する領域１１０ｃと表示領域１０１ｃとが重なるように配置されている。これにより、図１（Ａ１）に比べて、図１（Ｂ１）では、表示装置１０の表示領域１１が狭くなり、表示装置１０の小型化が実現できる。
【００７５】また、図１（Ｃ１）において、表示パネル１００ａ、表示パネル１００ｂ、及び表示パネル１００ｃは、四辺が揃った状態で重なっている。各表示パネルは、表示領域１０１どうしが重なり、かつ、可視光を透過する領域１１０どうしが重なっている。このように、複数の表示パネルは、端部が三辺以上揃った状態で重なることができると、表示装置を特に小型化できるため、好ましい。
【００７６】なお、複数の表示パネルは、同じ大きさでなくてもよい。表示装置が、複数種の大きさの表示パネルを有する場合、最も大きい表示パネルに、他の表示パネルの端部が重なると、表示装置を特に小型化できるため、好ましい。
【００７７】次に、本発明の一態様の表示装置が有する、２つの表示パネルが重なっている部分の面積を可変とする機構について、説明する。
【００７８】本発明の一態様の表示装置は、支持パネルとヒンジ部を有する。支持パネルは、表示パネルを支持する。ヒンジ部は、２つの支持パネルの相対的な位置関係が可変となるように、２つの支持パネルを接続する。これにより、２つの表示パネルが重なる部分の面積を可変にすることができる。また、表示装置の表示領域の面積を可変にすることができる。
【００７９】＜ヒンジ部の例１＞
図２（Ａ）、（Ｂ）、図３（Ａ）に、本発明の一態様の表示装置の側面図を示す。図３（Ｂ）に、図３（Ａ）に示す表示装置の上面図を示す。
【００８０】図２（Ａ）に示す表示装置は、表示パネル１００ａ、表示パネル１００ｂ、表示パネル１００ｃ、支持パネル３０ａ、支持パネル３０ｂ、支持パネル３０ｃ、第１のヒンジ部３９ａ、及び第２のヒンジ部３９ｂを有する。
【００８１】図２（Ａ）において、表示装置は、支持パネル３０ａと、支持パネル３０ａ上の支持パネル３０ｂと、支持パネル３０ｂ上の支持パネル３０ｃと、を有する。支持パネル３０ａは、表示パネル１００ａを支持し、支持パネル３０ｂは、表示パネル１００ｂを支持し、支持パネル３０ｃは表示パネル１００ｃを支持する。例えば、支持パネル３０ｂを移動させた際に、表示パネル１００ａが支持パネル３０ｂと接触すると、表示パネル１００ａが傷つく可能性がある。そのため、表示パネル１００は、上側に位置する支持パネル３０とは接触しないことが好ましい。
【００８２】支持パネルは、表示パネルを支持することができる構成であれば、特に限定はない。例えば、有機樹脂、金属、木材等を用いてもよい。支持パネルとして、板状の部材を用い、表示パネルを固定して支持してもよい。例えば、表示パネルと支持パネルを接着してもよい。また、表示パネルと支持パネルを留め具等で固定するなど、表示パネルが支持パネルから着脱可能であってもよい。また、支持パネルとして二枚の板状の部材を用い、表示パネルを挟持してもよい。電子機器又は表示装置に可撓性をもたせる場合は、支持パネルにも可撓性を有する部材を用いる。表示パネルの表示領域が、表示面側で支持パネルと重なる場合、該支持パネルに、可視光を透過する材料を用いることが好ましい。
【００８３】本実施の形態では、支持パネル３０は、表示パネル１００の非表示領域である領域１０２を挟持することができる構成とする。なお、支持パネル３０と表示パネル１００は接していてもよいし、別の部材を介して重なっていてもよい。
【００８４】各ヒンジ部は、互いに平行な２つのユニットを有する。具体的には、第１のヒンジ部３９ａは、ユニット３３ａ及びユニット３３ｂを有し、第２のヒンジ部３９ｂは、ユニット３３ｃ及びユニット３３ｄを有する。
【００８５】ヒンジ部は、少なくとも１つのユニットを有していればよいが、ヒンジ部が互いに平行な２つ以上のユニットを有することで、支持パネルの動きに制限がかかり、２つの支持パネルの相対的な位置関係を制御しやすくなるため、好ましい。具体的には、２つの表示パネルの表示面が平行な状態を維持したまま（同じ向きを向いたまま）、一方の表示パネルの、他方の表示パネルに対する相対的な位置を変えることができる。
【００８６】各ユニット３３は、第１の軸３１、第２の軸３２、及びアーム３５を有する。アーム３５は第１の軸３１を受ける軸受と、第２の軸３２を受ける軸受を有する。アーム３５は、第１の軸３１を中心に回動可能に接続される。また、アーム３５は、第２の軸３２を中心に回動可能に接続される。アーム３５の材料に特に限定はなく、板（金属板など）、バネ、ゴム、糸、ワイヤー（金属ワイヤなど）等が挙げられる。表示装置が有するアームは、全て同じ材料である必要はない。一部が金属板で、一部がバネなど、複数種のアームを表示装置が有していてもよい。
【００８７】表示装置がヒンジ部３９ｂを有することで、表示装置を、図２（Ａ）の状態と図２（Ｂ）の状態の一方から他方に変化させることができる。
【００８８】図２（Ｂ）に破線の矢印で示すように、第１の軸３１ｃを中心にアーム３５ｃが回動し、第１の軸３１ｄを中心にアーム３５ｄが回動することで、表示パネル１００ｂと表示パネル１００ｃとが重なる面積を狭くすることができる。アーム３５ｃ及びアーム３５ｄは、それぞれ、表示パネル１００ｂと表示パネル１００ｃとが接するまで回動できると好ましい。２つの表示パネルを接して重ねると、２つの表示パネルの間の段差及び継ぎ目を目立ちにくくすることができる。
【００８９】ここで、図２（Ｃ）に示す比較例の表示装置では、二点鎖線で囲った部分のように、アーム３５が回動している途中で、支持パネル３０ｂと支持パネル３０ｃ、又は、表示パネル１００ｂと表示パネル１００ｃ等が接触し、擦れる場合がある。これは、表示装置が傷つく原因となるため好ましくない。
【００９０】そのため、図２（Ｂ）の二点鎖線で囲った部分のように、表示パネル１００ｂと表示パネル１００ｃが接するときに、支持パネル３０ｃの、支持パネル３０ｂ側の側面が、支持パネル３０ｂと接しない構成とすることが好ましい。これにより、２つの支持パネル３０の相対的な位置関係を変える際に、支持パネル３０や表示パネル１００が擦れて傷つくことを抑制し、表示装置の信頼性を高めることができる。
【００９１】同様に、表示装置がヒンジ部３９ａを有することで、表示装置を、図２（Ｂ）の状態と図３（Ａ）の状態の一方から他方に変化させることができる。
【００９２】第１の軸３１ａを中心に、アーム３５ａが回動し、第１の軸３１ｂを中心にアーム３５ｂが回動することで、表示パネル１００ａと表示パネル１００ｂとが重なる面積を狭くすることができる。アーム３５ａ及びアーム３５ｂは、それぞれ、表示パネル１００ａと表示パネル１００ｂとが接するまで回動することができると好ましい。
【００９３】図３（Ｂ）では、支持パネル３０が表示パネル１００の一部を覆っており、表示装置の使用者に、表示パネル１００の非表示領域である領域１０２を視認されることを抑制している。
【００９４】＜ヒンジ部の例２＞
図４（Ａ）〜（Ｃ）に、本発明の一態様の表示装置の側面図を示す。
【００９５】図４（Ａ）に示す表示装置は、表示パネル１００ａ、表示パネル１００ｂ、表示パネル１００ｃ、支持パネル３０ａ、支持パネル３０ｂ、支持パネル３０ｃ、第１のヒンジ部３９ｃ、及び第２のヒンジ部３９ｄを有する。
【００９６】第１のヒンジ部３９ｃは、ユニット３３ｅ及びユニット３３ｆを有し、第２のヒンジ部３９ｄは、ユニット３３ｇ及びユニット３３ｈを有する。
【００９７】各ユニットは、第１の軸３１、第２の軸３２、第３の軸３８、第１のアーム３６、及び第２のアーム３７を有する。第１のアーム３６は第１の軸３１を受ける軸受と、第３の軸３８を受ける軸受を有する。第２のアーム３７は第２の軸３２を受ける軸受と、第３の軸３８を受ける軸受を有する。第１のアーム３６は、第１の軸３１を中心に回動可能に接続される。また、第１のアーム３６は、第３の軸３８を中心に回動可能に接続される。第２のアーム３７は、第２の軸３２を中心に回動可能に接続される。また、第２のアーム３７は、第３の軸３８を中心に回動可能に接続される。なお、第１の軸３１を中心に第１のアーム３６を回転させる角度の大きさと第２の軸３２を中心に第２のアーム３７を回転させる角度の大きさは、同じであっても異なっていてもよい。
【００９８】表示装置がヒンジ部３９ｄを有することで、表示装置を、図４（Ａ）の状態と図４（Ｂ）の状態の一方から他方に変化させることができる。
【００９９】ヒンジ部の例１では、図２（Ｂ）に破線の矢印で示す第２の軸３２ｃ及び第２の軸３２ｄの移動の軌跡からわかるように、アームを回動させるために、表示パネルを積層する方向（表示パネルの厚さ方向）に広い空間が必要となる。したがって、表示パネルを筐体などに収める際に、スペースが必要となる場合がある。
【０１００】一方、ヒンジ部の例２では、各ユニットが、２つのアームを有する。そのため、例えば、各ユニットについて、第１の軸３１を中心に第１のアーム３６を角度θだけ回転させ、第２の軸３２を中心に第２のアーム３７を角度−θだけ回転させることができる。これにより、図４（Ｂ）に示すように、表示パネル１００ｂと表示パネル１００ｃの相対的な位置関係を、表示パネルの厚さ方向で変化させることなく、表示パネル１００ｃを矢印で示す方向（水平方向、支持パネルが表示パネルを支持する面や表示パネルの表示面に平行な方向ともいえる）に移動させる（スライドさせる）ことができる。したがって、表示装置は、図４（Ａ）に示す状態よりも、表示パネルの厚さ方向に広がることがなく、表示装置や電子機器の小型化を図ることができる。図４（Ｃ）に示すように、第１のアーム３６ｃ、３６ｄ、及び第２のアーム３７ｃ、３７ｄは、それぞれ、表示パネル１００ｂと表示パネル１００ｃとが接するまで回動することができることが好ましい。
【０１０１】同様に、表示装置がヒンジ部３９ｃを有することで、表示パネル１００ａと表示パネル１００ｂの重なる領域の面積を可変とすることができる。
【０１０２】＜ヒンジ部の例３＞
図５（Ａ）〜（Ｃ）及び図６（Ａ）に、本発明の一態様の表示装置の側面図を示す。図６（Ｂ）に、図６（Ａ）に示す表示装置の上面図を示す。
【０１０３】図５（Ａ）〜（Ｃ）に示す表示装置は、各ユニットが有する第１の軸３１の位置が可変である点で、ヒンジ部の例１で示した表示装置（図２（Ａ）等参照）と異なる。
【０１０４】ヒンジ部の例１では、図３（Ａ）の二点鎖線で囲った部分のように、２つの表示パネル１００が接するときに、上側の表示パネル１００を支持する支持パネル３０の側面が、下側の表示パネル１００を支持する支持パネル３０と接さずに隙間が生じる場合がある。そのため、各表示パネル１００に、支持パネル３０に支持されていない部分が生じる。また、図３（Ｂ）の二点鎖線で囲った部分のように、表示装置の使用者から、表示パネル１００の非表示領域である領域１０２が視認されてしまう場合がある。
【０１０５】一方、ヒンジ部の例３は、図６（Ａ）の二点鎖線で囲った部分のように、２つの表示パネル１００が接するときに、該２つの表示パネル１００を支持する支持パネル３０の側面どうしが接する構成である。したがって、表示パネル１００の裏面（表示面と対向する面）全体を支持パネル３０で支えることができ、表示パネル１００を保護することができる。また、図６（Ｂ）に示すように、表示装置の使用者から、表示パネル１００の非表示領域である領域１０２が視認されないように、支持パネル３０が表示パネル１００をより広い面積で覆うことができる。
【０１０６】かつ、ヒンジ部の例３は、２つの支持パネル３０の相対的な位置関係を変える際に、支持パネル３０や表示パネル１００が接触し、傷つくことを抑制することができる。
【０１０７】以上のように、ヒンジ部の例３は、表示装置の信頼性を高めることができる構成である。
【０１０８】具体的には、図５（Ｂ）に示すように、第１の軸３１を移動させることで、アーム３５の回転中心を移動させることができる。例えば、図５（Ｂ）に示すように、表示パネル１００ｃを表示パネル１００ｂよりも右側に移動させる場合は、第１の軸３１も右側に移動させる。すると、アーム３５の回転中心を移動させながら、支持パネル３０ｃを移動させることができる。これにより、図５（Ｂ）では図２（Ｂ）よりも、支持パネル３０ｂから支持パネル３０ｃが水平方向に離れ、表示パネル１００ｂと表示パネル１００ｃ、又は支持パネル３０ｂと支持パネル３０ｃ等が擦れることを防止することができる。
【０１０９】次に、第１の軸３１を先に動かした向きとは逆（ここでは左側）に移動させることで、表示パネル１００ｃを表示パネル１００ｂに近づける。そして、図５（Ｃ）に示すように、表示パネル１００ｂと表示パネル１００ｃとを接触させることができる。ここでは、表示パネル１００ｃの一部を支持パネル３０ｂで挟持することができる例を示す。したがって、２つの表示パネル１００が重なる部分についても、支持パネル３０で支えることができ、表示パネル１００を保護することができる。
【０１１０】同様に、表示装置を、図５（Ｃ）の状態から、図６（Ａ）の状態に変化させることができる。
【０１１１】図６（Ｂ）に示すように、支持パネル３０が、表示パネル１００の非表示領域である領域１０２を覆う構成とすると、表示パネル１００を保護することができ、好ましい。なお、本発明の一態様はこれに限定されず、領域１０２の一部が露出していてもよい。
【０１１２】＜ヒンジ部の例４＞
図７（Ａ）に、本発明の一態様の表示装置の側面図を示す。
【０１１３】第１の軸３１が移動する構成を適用するユニットは、ヒンジ部の例１で示した、第１の軸３１、第２の軸３２、及び第１のアーム３５を有するユニットに限定されない。例えば、図７（Ａ）に示すように、ヒンジ部の例２で示した、第１の軸３１、第２の軸３２、第３の軸３８、第１のアーム３６、及び第２のアーム３７を有するユニットにも適用することができる。
【０１１４】これにより、表示パネル１００を水平方向に移動させることができ、移動の際に、表示パネル１００や支持パネル３０が擦れることを抑制することができる。かつ、２つの表示パネル１００が重なる部分を支持パネル３０で支持することができる。そして、表示装置の使用者から、表示パネルの非表示領域である領域１０２が視認されないようにすることができる。
【０１１５】＜ヒンジ部の例５＞
図７（Ｂ）に、本発明の一態様の表示装置の側面図を示す。
【０１１６】ヒンジ部の例３（図５（Ａ）等）では、アーム３５の回転中心を移動させることができる例を示したが、図７（Ｂ）に示すように、アーム３９の回転半径を変化させることができる構成であっても、ヒンジ部の例３と同様の効果を奏することができる。
【０１１７】具体的には、支持パネル３０を移動させる際に、表示パネル１００や支持パネル３０が擦れることを抑制できる。かつ、２つの表示パネル１００が重なる部分を支持パネル３０で支持することができる。そして、表示装置の使用者から、表示パネルの非表示領域である領域１０２が視認されないようにすることができる。
【０１１８】なお、ヒンジ部の例２で示した、第１の軸３１、第２の軸３２、第３の軸３８、第１のアーム３６、及び第２のアーム３７を有するユニットにも適用することができる。具体的には、第１のアーム３６及び第２のアーム３７のそれぞれの回転半径を変化させることができる構成としてもよい。
【０１１９】以上では、２つの表示パネルが重なっている部分の面積を可変とする機構の一例として、表示装置がヒンジ部を有する場合について説明したが、本発明の一態様はこれに限られない。
【０１２０】例えば、本発明の一態様の表示装置は、ヒンジ部を有していなくてもよい。例えば、一方の支持パネルに凸部を有し、他方の支持パネルに凹部を有し、該凸部を該凹部内で滑らせることで、２つの支持パネルの相対的な位置関係が可変となる構成であってもよい。このような構成であっても、２つの表示パネルが重なっている部分の面積を可変にすることができる。また、表示装置の表示領域の面積を可変にすることができる。以下では、このような構成を用いた表示装置を有する電子機器について、説明する。
【０１２１】本明細書等で例示する電子機器としては、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０１２２】＜電子機器の例１＞
図８（Ａ１）及び図９（Ａ）に、電子機器２００の上面図をそれぞれ示す。図８（Ａ２）に、図８（Ａ１）における一点鎖線Ｃ１−Ｃ２間の断面図を示し、図８（Ａ３）に、図８（Ａ１）における一点鎖線Ｃ３−Ｃ４間の断面図を示す。図９（Ｂ）に、図９（Ａ）における一点鎖線Ｃ７−Ｃ８間の断面図を示し、図９（Ｃ）に、図９（Ａ）における一点鎖線Ｃ９−Ｃ１０間の断面図を示す。
【０１２３】図８（Ａ１）〜（Ａ３）は、それぞれ、電子機器２００の内部に表示装置が収納されている状態を示す図である。
【０１２４】図９（Ａ）〜（Ｃ）は、それぞれ、電子機器２００の内部から表示装置を展開した状態を示す図である。
【０１２５】電子機器２００は、筐体２０１ａ及び筐体２０１ｂを有する。電子機器２００は、筐体の内部に、表示装置、バッテリ２１１、回路基板２１２、及びアンテナ２１３を有する。
【０１２６】表示装置は、支持パネル７０ａ、支持パネル７０ｂ、支持パネル７０ｃ、表示パネル１００ａ、表示パネル１００ｂ、及び表示パネル１００ｃを有する。
【０１２７】図８（Ａ１）〜（Ａ３）に示す電子機器２００は、筐体の内部に、支持パネル７０ａと、支持パネル７０ａ上の支持パネル７０ｂと、支持パネル７０ｂ上の支持パネル７０ｃを有する。支持パネル７０ａは、表示パネル１００ａを支持し、支持パネル７０ｂは、表示パネル１００ｂを支持し、支持パネル７０ｃは、表示パネル１００ｃを支持する。
【０１２８】回路基板２１２は、例えば、ＣＰＵ、各種メモリ、無線モジュール等を有する。
【０１２９】電子機器２００は、図８（Ａ１）の状態と図９（Ａ）の状態の一方から他方に変化することができる。例えば、電子機器２００を使用する際には、図９（Ａ）に示すように、広い表示領域１１を用いて表示を行うことができる。また、電子機器２００を使用しない際には、図８（Ａ１）に示すように、３つの表示パネルが重なっている面積をより広くすることで、電子機器２００を小型化することができる。これにより、電子機器２００の可搬性を高めることができる。また、電子機器２００の収納スペースを狭くすることができる。また、表示パネルを筐体の内部に配置することで、表示パネルの表示面に傷や汚れがつくことを抑制できる。
【０１３０】図８（Ａ２）及び図９（Ｂ）は、各支持パネルが凸部又は凹部の少なくとも一方を有する部分の断面図に相当する。
【０１３１】筐体２０１ａは、支持パネル７０ａ側の表面に凸部を有する。
【０１３２】支持パネル７０ａは、互いに対向する２つの面側にそれぞれ凹部を有する。具体的には、バッテリ２１１側に第１の凹部を有し、支持パネル７０ｂ側に第２の凹部を有する。
【０１３３】支持パネル７０ｂは、互いに対向する２つの面のうち、一方の面側（支持パネル７０ａ側）に凸部を有し、他方の面側（支持パネル７０ｃ側）に凹部を有する。
【０１３４】支持パネル７０ｃは、支持パネル７０ｂ側に凸部を有する。
【０１３５】支持パネル７０ａの第１の凹部は、筐体２０１ａの凸部よりも幅が広い。支持パネル７０ａは、筐体２０１ａに対して相対的に動くことができる。筐体２０１ａの凸部は、支持パネル７０ａの第１の凹部の中でスライドすることができる。なお、筐体２０１ａに凹部を設け、支持パネル７０ａに凸部を設けてもよい。このような構成により、筐体の内部に配置された表示装置を引き出した際に、表示装置が筐体と離れてしまうことを抑制できる（図９（Ｂ）の最も右側の二点鎖線で示す領域参照）。
【０１３６】支持パネル７０ａの第２の凹部は、支持パネル７０ｂの凸部よりも幅が広い。支持パネル７０ａの第２の凹部は、他の部分よりも深く、支持パネル７０ｂの凸部と嵌合する部分を有する。支持パネル７０ｂは、支持パネル７０ａに対して相対的に動くことができる。支持パネル７０ｂの凸部は、支持パネル７０ａの第２の凹部の中でスライドすることができる。また、支持パネル７０ｂの凸部が、支持パネル７０ａの第２の凹部と嵌合することで、支持パネル７０ａと支持パネル７０ｂとの相対的な位置を固定することができる。なお、支持パネル７０ｂに凹部を設け、支持パネル７０ａに凸部を設けてもよい。
【０１３７】同様に、支持パネル７０ｂの凹部は、支持パネル７０ｃの凸部よりも幅が広い。支持パネル７０ｂの凹部は、他の部分よりも深く、支持パネル７０ｃの凸部と嵌合する部分を有する。支持パネル７０ｃは、支持パネル７０ｂに対して相対的に動くことができる。支持パネル７０ｃの凸部は、支持パネル７０ｂの凹部の中でスライドする。また、支持パネル７０ｃの凸部が、支持パネル７０ｂの凹部と嵌合することで、支持パネル７０ｂと支持パネル７０ｃとの相対的な位置を固定することができる。なお、支持パネル７０ｃに凹部を設け、支持パネル７０ｂに凸部を設けてもよい。
【０１３８】より具体的には、図８（Ａ１）、（Ａ２）に示す状態から、図９（Ａ）、（Ｂ）に示す状態へ、筐体２０１ａに対して、相対的に各支持パネル７０を動かし、展開することができる。このとき、図９（Ｂ）の中央の二点鎖線で示す２つの領域のように、対向する２つの支持パネル７０の凸部及び凹部が嵌合することで、各支持パネル７０が展開した状態で固定することができる。
【０１３９】なお、図９（Ｃ）に示すように、２つの表示パネルは、互いに接して重なることができると、２つの表示パネル間の段差や継ぎ目が視認されにくくなり好ましい。図８（Ａ２）及び図９（Ｂ）に示すように、支持パネル７０ｃの側面には、筐体２０１ｂに設けられた凹部の中を動くことができる凸部が設けられている（図９（Ｂ）の最も右側の二点鎖線で示す領域参照）。これにより、支持パネル７０ｃは、表示パネルが積層されている方向（表示パネルの厚さ方向）において、他の支持パネルとの相対的な位置を変化させることができる。
【０１４０】なお、ここでは、筐体の内部に、バッテリ２１１、回路基板２１２、及びアンテナ２１３を有する例を示したが、本発明の一態様はこれに限られない。例えば、表示装置が、表示パネル及び支持パネルに加え、バッテリ、回路基板、又はアンテナ等の少なくともいずれか一を有していてもよい。例えば、支持パネルの内部に、バッテリ、回路基板、又はアンテナ等の少なくともいずれか一を有していてもよい。表示装置自体が、電子機器としての機能を有していてもよく、この場合、筐体は、表示装置を中に収めて保護する機能を少なくとも有する。また、本発明の一態様の電子機器は、バッテリ、回路基板、アンテナ、スピーカ、マイク、又は操作ボタン等のいずれか一を有する。
【０１４１】バッテリとしては、二次電池を有していてもよく、非接触電力伝送を用いて、二次電池を充電することができると好ましい。
【０１４２】二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０１４３】アンテナで信号を受信することで、表示パネルで映像や情報等の表示を行うことができてもよい。また、アンテナを、非接触電力伝送に用いてもよい。
【０１４４】＜電子機器の例２＞
図８（Ｂ１）及び図１０（Ａ）に、電子機器２１０の上面図をそれぞれ示す。図８（Ｂ２）、（Ｂ３）に、図８（Ｂ１）における一点鎖線Ｃ５−Ｃ６間の断面図の一例をそれぞれ示し、図１０（Ｂ）に、図１０（Ａ）における一点鎖線Ｃ１１−Ｃ１２間の断面図を示し、図１０（Ｃ）に、図１０（Ａ）における一点鎖線Ｃ１３−Ｃ１４間の断面図を示す。
【０１４５】図８（Ｂ１）〜（Ｂ３）は、それぞれ、電子機器２１０の内部に表示装置が収納されている状態を示す図である。
【０１４６】図１０（Ａ）〜（Ｃ）は、それぞれ、電子機器２１０の内部から表示装置を展開した状態を示す図である。
【０１４７】図８（Ｂ１）に示す電子機器２１０は、電子機器２１０の内部に表示装置を収納した状態でも、使用者が表示パネル１００ｃの表示領域１０１ｃを視認することができる点で、図８（Ａ１）に示す電子機器２００と異なる。電子機器２１０は、図１０（Ａ）〜（Ｃ）に示すように、表示装置を展開した状態で、表示を行うだけでなく、図８（Ｂ１）に示すように、表示装置を収納した状態で、表示を行うこともできる。図８（Ｂ１）では、最も上側に位置する表示パネルのみが表示を行えばよい。
【０１４８】図８（Ｂ２）に示すように、表示パネル１００ｃが、表示面側で筐体２０１ａと重ならない構成としてもよい。また、図８（Ｂ３）に示すように、筐体２０１ａが可視光を透過する領域２０５を有し、表示パネル１００ｃが、表示面側で、可視光を透過する領域２０５と重なる構成としてもよい。図８（Ｂ３）では、表示パネル１００ｃの表示面が筐体２０１ａで保護されるため、傷や汚れがつくことを抑制でき、好ましい。
【０１４９】図１０（Ｂ）は、各支持パネルが凸部又は凹部の少なくとも一方を有する部分の断面図に相当する。
【０１５０】支持パネル７０ａは、支持パネル７０ｂが重なる側に凹部を有する。
【０１５１】支持パネル７０ｂは、互いに対向する２つの面のうち、一方の面側（支持パネル７０ａ側）に凸部を有し、他方の面側（支持パネル７０ｃ側）に凹部を有する。
【０１５２】支持パネル７０ｃは、支持パネル７０ｂが重なる側に凸部を有する。
【０１５３】支持パネル７０ａの凹部は、支持パネル７０ｂの凸部よりも幅が広い。支持パネル７０ａの凹部は、他の部分よりも深く、支持パネル７０ｂの凸部と嵌合する部分を有する。支持パネル７０ｂは、支持パネル７０ａに対して相対的に動くことができる。支持パネル７０ｂの凸部は、支持パネル７０ａの凹部の中でスライドすることができる。また、支持パネル７０ｂの凸部が、支持パネル７０ａの凹部と嵌合することで、支持パネル７０ａと支持パネル７０ｂとの相対的な位置を固定することができる。なお、支持パネル７０ｂに凹部を設け、支持パネル７０ａに凸部を設けてもよい。
【０１５４】同様に、支持パネル７０ｂの凹部は、支持パネル７０ｃの凸部よりも幅が広い。支持パネル７０ｂの凹部は、他の部分よりも深く、支持パネル７０ｃの凸部と嵌合する部分を有する。支持パネル７０ｃは、支持パネル７０ｂに対して相対的に動くことができる。支持パネル７０ｃの凸部は、支持パネル７０ｂの凹部の中でスライドすることができる。また、支持パネル７０ｃの凸部が、支持パネル７０ｂの凹部と嵌合することで、支持パネル７０ｂと支持パネル７０ｃとの相対的な位置を固定することができる。なお、支持パネル７０ｃに凹部を設け、支持パネル７０ｂに凸部を設けてもよい。
【０１５５】より具体的には、図８（Ｂ１）、（Ｂ２）に示す状態から、図１０（Ａ）、（Ｂ）に示す状態へ、筐体２０１ａに対して、相対的に各支持パネル７０を動かし、展開することができる。
【０１５６】なお、図１０（Ｃ）に示すように、２つの表示パネルは、互いに接して重なることができると、２つの表示パネル間の段差や継ぎ目が視認されにくくなり好ましい。図８（Ｂ２）及び図１０（Ｂ）に示すように、支持パネル７０ｃの側面には、筐体２０１ｂに設けられた凹部の中を動くことができる凸部が設けられている。これにより、支持パネル７０ｃは、高さ方向（表示パネルの厚さ方向）において、他の支持パネルとの相対的な位置を変化させることができる。
【０１５７】＜表示装置の例２＞
ここまでは、重ねられた複数の表示パネルを直線に沿った向きに展開することができる表示装置の例を示したが、本発明の一態様は、これに限られない。例えば、曲線に沿った向きに展開してもよい。また、複数の表示パネルを二方向以上に展開してもよい。
【０１５８】図１１（Ａ）、（Ｂ）に、表示装置１５の上面図をそれぞれ示す。
【０１５９】表示装置１５は、８つの表示パネル（表示パネル１００ａ〜表示パネル１００ｈ）を有する。表示装置１５は、８つの表示パネルを曲線に沿った向きに展開することができる。表示装置が有する表示パネルの数に限定は無い。表示装置１５は０°より大きく３６０°以下の間の任意の範囲で展開することができる。
【０１６０】図１１（Ｃ）に、図１１（Ｂ）に示す表示装置１５の側面図を示し、図１１（Ｄ）に表示パネル１００ａの側面図を示す。図１１（Ｃ）、（Ｄ）は、それぞれ表示パネル１００ａの長辺側の側面図である。
【０１６１】表示装置１５は、図１１（Ａ）の状態と図１１（Ｂ）の状態の一方から他方に変化することができる。
【０１６２】例えば、図１１（Ｄ）に示すように、一方の面に表示面を有する表示パネルを用いることができる。また、対向する２つの面に表示面を有する表示パネルを用いてもよい。
【０１６３】なお、下側に位置する表示パネル１００の表示領域１０１と、上側に位置する表示パネル１００の可視光を透過する領域１１０が重なる部分では、可視光を透過する領域１１０の端部で、光の干渉が生じる場合がある。
【０１６４】ここでは、表示領域１０１が、赤色の画素Ｒ、緑色の画素Ｇ、及び青色の画素Ｂを有する場合を考える。図１２（Ａ）では、同色の画素がＸ方向に配列されている。ここで、可視光を透過する領域１１０の一辺がＸ方向に平行であると、その一辺では、赤、緑、及び青の単色の光が周期的に視認されやすい。これは、可視光を透過する領域１１０の端部に、周期的に配列している画素が存在するためである。表示装置の使用者が、単色の光を視認すると、可視光を透過する領域１１０の端部を認知しやすくなってしまう。
【０１６５】そこで、図１２（Ｂ）に示すように、Ｘ方向（同色の画素が配列している方向）と可視光を透過する領域１１０の一辺とがなす角度θが、０°より大きく５０°未満、より好ましくは１０°以上５０°未満であることが好ましい。角度θを０°より大きくすることで、赤、緑、及び青の単色の光の周期を短くすることができる。周期が短いほど、表示装置の使用者には、赤、緑、及び青が混色して白色に見えるため、可視光を透過する領域１１０の端部が目立ちにくくなる。または、画素と、可視光を透過する領域１１０と、が重なる領域が有する角度は、０°より大きく５０°未満、より好ましくは１０°以上５０°未満であることが好ましい、ということもできる。なお、角度θを５０°以上とすると、新たな光の干渉が生じる場合がある。
【０１６６】図１１（Ａ）に示す表示装置１５のように、表示パネル１００を曲線に沿った向きに展開すると、同色の画素が配列している方向と可視光を透過する領域１１０の一辺とがなす角度θを制御しやすく、好ましい。
【０１６７】＜表示装置の例３＞
図１３（Ａ）に、表示装置１６の正面図を示し、図１３（Ｂ）に、表示装置１６の背面図を示す。また、図１４（Ａ）に、表示装置１６の正面図を示し、図１４（Ｂ）に、図１４（Ａ）に示す表示装置１６の側面図を示す。そして、図１４（Ｃ）に、２つの表示パネルの重ね方を説明する図を示す。また、図１４（Ｄ）に表示パネル１００ａ（１）及び表示パネル１００ａ（２）の側面図を示し、図１４（Ｄ）に表示パネル１００ａの側面図を示す。図１４（Ｂ）、（Ｄ）、（Ｅ）は、それぞれ表示パネルの長辺側の側面図である。
【０１６８】表示装置１６は、図１３（Ａ）の状態と図１４（Ａ）の状態の一方から他方に変化することができる。
【０１６９】図１４（Ｂ）に示すように、表示装置１６は、８つの表示パネル（表示パネル１００ａ（１）〜表示パネル１００ｄ（１）及び表示パネル１００ａ（２）〜表示パネル１００ｄ（２））を有する。表示装置１６は、８つの表示パネルを曲線に沿った向きに展開することができる。
【０１７０】図１４（Ｃ）、（Ｄ）に示すように、表示パネル１００ａ（１）と表示パネル１００ａ（２）は互いに表示面が外側を向くように重なっている。
【０１７１】したがって、図１３（Ａ）に示すように、表示装置１６の一方の面（ここでは表面とする）では、表示パネル１００ａ（１）〜表示パネル１００ｄ（１）を用いた表示を行うことができる。かつ、図１３（Ｂ）に示すように、表示装置１６の他方の面（ここでは裏面とする）では、表示パネル１００ａ（２）〜表示パネル１００ｄ（２）を用いた表示を行うことができる。
【０１７２】図１４（Ｃ）に示すように、表示パネル１００ａ（１）の表示領域１０１及び可視光を遮る領域１２０からなる領域と、表示パネル１００ａ（２）の表示領域１０１及び可視光を遮る領域１２０からなる領域とは、互いに重なるように配置される。また、表示パネル１００ａ（１）と表示パネル１００ａ（２）の可視光を透過する領域１１０どうしも、互いに重なるように配置される。これにより、表示装置１６の表面及び裏面それぞれにおいて、上側に位置する表示パネルの可視光を透過する領域１１０と下側に位置する表示パネルの表示領域１０１とを重ねる、かつ、上側に位置する表示パネルの可視光を遮る領域１２０と下側に位置する表示パネルの表示領域１０１とを重ねない構成とすることができる。したがって、上側に位置する表示パネルの可視光を透過する領域１１０を介して、表示装置の使用者が、下側に位置する表示パネルの表示領域１０１を視認することができる。
【０１７３】図１３（Ａ）に示すように、表示装置１６は、表面から見たとき、表示パネル１００ｄ（１）が最も上側に位置し、表示パネル１００ａ（１）が最も下側に位置する。一方、図１３（Ｂ）に示すように、表示装置１６は、裏面から見たとき、表示パネル１００ａ（２）が最も上側に位置し、表示パネル１００ｄ（２）が最も下側に位置する。
【０１７４】各表示パネル１００は２辺に可視光を透過する領域１１０を有し、表面と裏面とでそれぞれ異なる可視光を透過する領域１１０を、隣の表示パネル１００の表示領域１０１に重ねる。例えば、図１３（Ａ）に示すように、表示パネル１００ｂ（１）の可視光を透過する領域１１０の一方は、表示パネル１００ａ（１）の表示領域１０１上に重なる。そして、表示パネル１００ｂ（１）の可視光を透過する領域１１０の他方は、表示パネル１００ｃ（２）の表示領域１０１上に重なる。また、表示パネル１００ｂ（１）の表示領域１０１の一部には、表示パネル１００ｃ（１）及び表示パネル１００ｃ（２）の可視光を透過する領域１１０が重なる。つまり、表示装置の使用者は、２つの表示パネルの可視光を透過する領域１１０を介して、表示パネル１００ｂ（１）の表示領域１０１を視認することができる。
【０１７５】なお、図１３（Ａ）、（Ｂ）、図１４（Ａ）〜（Ｄ）では、一方の面に表示面を有する表示パネルを用いる例を示したが、図１４（Ｅ）に示すように、対向する２つの面に表示面を有する表示パネル１００ａを用いてもよい。
【０１７６】また、本発明の一態様では、複数の表示パネルを曲線に沿った向きに展開することができる構成を用いて、扇形（概略扇形）の表示装置や電子機器を作製することができる。
【０１７７】１つの表示パネルを用いて扇子のような表示装置を作製しようとする場合、表示パネルに折り目をつけると、表示パネルを構成する層の一部が剥がれるなどにより、表示不良となることがある。また、表示パネルの表示に悪影響を及ぼさない程度の曲率で曲げると、扇子を畳んだときに厚みが増してしまい、表示装置の可搬性や収納性が悪くなることがある。
【０１７８】一方、本発明の一態様では、複数の表示パネルを用いて表示装置の表示領域を形成することができる。各表示パネルは扇を畳む際に折り曲げる必要がないため、曲げによる表示パネルの信頼性の低下を抑制できる。以下に、概略扇形の電子機器の例を示す。
【０１７９】＜電子機器の例３＞
図１１（Ａ）〜（Ｃ）に示した表示装置１５を用いた電子機器の一例を示す。図１５（Ａ）、（Ｂ）に、電子機器２５０の上面図をそれぞれ示す。
【０１８０】図１５（Ａ）は、電子機器２５０の内部に複数の表示パネルが収納されている状態を示す図である。
【０１８１】図１５（Ｂ）は、電子機器２５０の内部から複数の表示パネルを展開した状態を示す図である。
【０１８２】電子機器２５０は、筐体２５１ａ及び筐体２５１ｂを有する。電子機器２５０は、筐体の内部に、６つの表示パネル（表示パネル１００ａ〜表示パネル１００ｆ）、バッテリ２５６、回路基板２５３、及びアンテナ２５４を有する。図１５（Ｂ）では、筐体２５１ａに回路基板２５３及びアンテナ２５４を有し、筐体２５１ｂにバッテリ２５６を有する例を示す。なお、バッテリ２５６、回路基板２５３、及びアンテナ２５４は、筐体２５１ａ又は筐体２５１ｂの一方にまとめて設けられていてもよい。また、バッテリ等を筐体２５１ａ及び筐体２５１ｂの双方に有していてもよい。
【０１８３】１つの表示パネル１００は、１つの柄２５７に接続されている。複数の柄２５７は、要２５２によって束ねられている。また、複数の柄２５７は、開口を通る紐２５８によっても接続されている。柄２５７の開口に通す部材は、紐に限定されず、糸、縄、針金、リボン、布等を用いてもよい。または、開口に通す部材は、可撓性を有し、繊維状又は帯状である。例えば、天然繊維、合成繊維、紙、合成樹脂、ゴム、金属、合金等の材料を用いることができる。柄２５７には、筐体２５１ａが備える回路基板２５３と、表示パネル１００と、を電気的に接続する配線等が設けられている。柄２５７において、要２５２で束ねられる部分と、紐２５８が通る部分とが離れているほど、柄２５７と表示パネル１００との動きが制御され、まとめやすくなり好ましい。
【０１８４】電子機器２５０は、図１５（Ａ）の状態と図１５（Ｂ）の状態の一方から他方に変化することができる。例えば、電子機器２５０を使用する際には、図１５（Ｂ）に示すように、複数の表示パネルの表示領域１０１を用いて表示を行うことができる。電子機器２５０を使用しない際には、図１５（Ａ）に示すように、複数の表示パネルが重なっている面積をより広くすることで、電子機器２５０を小型化することができる。これにより、電子機器２５０の可搬性を高めることができる。また、電子機器２５０の収納スペースを狭くすることができる。また、表示パネルを筐体の内部に配置することで、表示パネルの表示面に傷や汚れがつくことを抑制できる。
【０１８５】扇形に開いた電子機器２５０は、扇、扇子、又は団扇として用いてもよい。
【０１８６】＜電子機器の例４＞
図１６（Ａ）、（Ｂ）に、電子機器２６０の上面図をそれぞれ示す。
【０１８７】図１６（Ａ）は、電子機器２６０の内部に複数の表示パネルが収納されている状態を示す図である。
【０１８８】図１６（Ｂ）は、電子機器２６０の内部から複数の表示パネルを展開した状態を示す図である。
【０１８９】電子機器２６０は、筐体２６１ａ及び筐体２６１ｂを有する。電子機器２６０は、筐体の内部に、ｎ個の表示パネル（表示パネル１００（１）〜表示パネル１００（ｎ）、本発明の一態様において、ｎは２以上の自然数、図１６（Ｂ）において、ｎは７以上の自然数である。）を有する。電子機器２６０は、バッテリ、回路基板、及びアンテナを有することが好ましい。
【０１９０】１つの表示パネル１００は、１つの柄２６７に接続されている。複数の柄２６７は、要２６２によって束ねられている。また、複数の柄２６７は、開口を通る紐２６８によっても接続されている。
【０１９１】図１６（Ａ）に示す電子機器２６０は、電子機器２６０の内部に表示パネル１００を収納した状態でも、使用者が表示パネル１００（ｎ）の表示領域１０１（ｎ）を視認することができる点で、図１５（Ａ）に示す電子機器２５０と異なる。そのため、電子機器２６０は、図１６（Ｂ）に示すように、表示装置を展開した状態で、表示を行うだけでなく、図６（Ａ）に示すように、表示装置を収納した状態で、表示を行うこともできる。図１６（Ａ）では、最も上側に位置する表示パネルのみが表示を行えばよい。
【０１９２】また、表示パネル１００は、図１５（Ａ）等に示すような長方形に限られず、図１６（Ａ）等に示すように台形などの四角形であってもよく、四角形以外の多角形、円形、扇形等であってもよい。
【０１９３】以上のように、本発明の一態様では、扇型の電子機器を実現することができる。
【０１９４】＜電子機器の例５＞
電子機器２５０や電子機器２６０では、表示パネル１００を複数有する構成としたが、本発明の一態様はこれに限られない。例えば、電子機器２５０や電子機器２６０が有する複数の表示パネル１００が、それぞれ独立にバッテリ、アンテナ、又は回路基板等を有し、１つの表示パネル１００のみでも使用できる構成となっていてもよい。
【０１９５】図１７（Ａ）に、１つの表示パネル１００を有する電子機器２７０を示す。
【０１９６】電子機器２７０は、柄２７８に、配線や回路基板、バッテリ等を有する。配線は、表示パネル１００と電気的に接続する。回路基板等は、該配線を介して表示パネル１００と電気的に接続する。さらに、柄２７８又はホルダ２７９には、操作ボタン２７７等が設けられていてもよい。
【０１９７】例えば、電子機器２７０は、電子機器２７０単体で用いることもできるし、電子機器２６０の一部として用いることもできる。具体的には、ホルダ２７９から柄２７８を抜き取り、他の柄とともに要２６２で束ねることができる。
【０１９８】また、電子機器２７０は、図１７（Ｂ）に示すように、団扇形の電子機器２８０の一部として用いることもできる。具体的には、ホルダ２７９から柄２７８を抜き取り、ホルダ２８９に差し込めばよい。
【０１９９】各ホルダは、柄２７８を保護する機能や複数の柄を接続する機能を有することが好ましい。または、各ホルダに、バッテリや回路基板等が設けられていてもよい。
【０２００】本発明の一態様では、単体で電子機器として用いることができる電子機器２７０を、単体で用いる、扇形や団扇形の電子機器の一部として用いる、等の多様な用途で利用することができる。このような電子機器については、実施の形態２でも詳述する。
【０２０１】＜応用例＞
応用例の一つとして、アドバルーン（広告宣伝用途で利用される気球や風船全般）によって、本発明の一態様の表示装置や電子機器を空中で吊り下げる構成が挙げられる。
【０２０２】図１８（Ａ）、（Ｂ）にアドバルーン２９０を示す。図１８（Ａ）は揚げる前のアドバルーン２９０であり、図１８（Ｂ）は、揚げている状態のアドバルーン２９０である。
【０２０３】アドバルーン２９０は、球体２９１と、電子機器２９５と、ロープ２９６と、を有する。電子機器２９５は、球体２９１とロープ２９６の間に接続されている。
【０２０４】球体２９１としては、気球や風船を用いることができる。アドバルーン２９０が飛ばされないように、ロープ２９６を建物の手すりなどの構造物に取り付けるか、ロープ２９６の固定部を別途用意して、アドバルーン２９０を揚げる。
【０２０５】本発明の一態様の電子機器２９５は、可撓性を有し、薄型で軽量な表示パネルを用いて作製することができるため、重量を抑えることができる。よって、球体２９１の大きさを抑え、掲揚場所の面積を縮小することや、充填するヘリウムガス等のガスの量を少なくすることができ、好ましい。
【０２０６】また、電子機器２９５は、表示を変えることで、広告用の文字を容易に変えることができる。したがって、グラシン紙やビニールを用いた広告用の文字に比べて、耐久性が高く、繰り返し使用することができるため、好ましい。また、筐体２９３ａ及び筐体２９３ｂの材質の選択の幅が広いため、高い耐水性や防汚性を備えることができることからも、繰り返しの使用に好適である。例えば、筐体２９３ａ及び筐体２９３ｂには、薄型のプラスチックのケースやフィルム等を用いてもよい。
【０２０７】電子機器２９５では、屋外、屋内、日中、夜間問わず、視認性の高い表示を行うことができるため、様々な場所、用途での広告文字を表示することができる。
【０２０８】また、図１８（Ａ）に示すように、電子機器２９５は、筐体２９３ａ及び筐体２９３ｂの内部に表示パネルを収納することができるため、小型化でき、保管場所が制限されにくい。また、保管時に表示パネルに傷や汚れがつくことを抑制できる。
【０２０９】そして、図１８（Ｂ）に示すように、アドバルーン２９０を揚げる際に、電子機器２９５の内部から表示装置を展開することで、広告用の文字を表示することができる。
【０２１０】支持パネル２９４は、薄型かつ軽量であると好ましい。また、耐水性や防汚性が高いことが好ましい。
【０２１１】図１８（Ｂ）では、表示パネルを７つ有する電子機器２９５の例を示したが、表示パネルの数に限定はない。下側の表示パネルの表示領域１０１に上側の表示パネルの可視光を透過する領域１１０が重なることで、電子機器２９５では、継ぎ目が視認されにくい、広い表示領域を用いて表示を行うことができる。
【０２１２】また、電子機器２９５は、広告用の文字数等に応じて、適宜、表示領域の面積を変えることができる。
【０２１３】＜表示システムの例＞
なお、本発明の一態様の表示装置に加え、駆動装置及び出力装置を有する表示システムや、該表示システムを有する電子機器も、本発明の一態様である。
【０２１４】駆動装置は、表示パネルを駆動するための信号や電位を、表示パネルに供給する機能を有する。
【０２１５】駆動装置は、アンテナ、無線受信機、無線送信機、バッテリ、演算装置及び記憶装置などのＩＣが実装されたプリント基板（回路基板）などのうち、１以上を有する構成としてもよい。
【０２１６】出力装置は、駆動装置に対して画像信号を出力する機能を有する。
【０２１７】駆動装置と出力装置はケーブルによって電気的に接続されていてもよい。また、駆動装置と出力装置は無線通信により信号を送受信できる構成であると、ケーブルが不要になるためより構成を簡略化でき、好ましい。
【０２１８】出力装置としては、例えばブルーレイディスク、ＤＶＤ（Ｄｉｇｉｔａｌ  Ｖｅｒｓａｔｉｌｅ  Ｄｉｓｋ）、フラッシュメモリなどの記憶媒体の再生装置又は録画再生装置、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）などの記憶装置を備える録画再生装置などを用いることができる。これら出力装置に格納された画像データを、画像信号として各表示パネルに出力する。または、出力装置として、ネットワークを介して取得した画像データを、画像信号として各表示パネルに出力する機能を有することが好ましい。こうすることで容易に最新の情報を表示することが可能となる。またこのとき、出力装置が有する記憶手段に一時的にデータを格納可能な構成とすることで、ネットワークに接続されていない状態（オフラインの状態）のときでも画像を表示することができるため好ましい。
【０２１９】また、出力装置として、解像度がフルハイビジョン（画素数１９２０×１０８０）、４Ｋ（画素数３８４０×２１６０）、又は８Ｋ（画素数７６８０×４３２０）といった高解像度の画像を、非圧縮で出力できる非圧縮ディスクレコーダ（ＵＤＲ：Ｕｎｃｏｍｐｒｅｓｓｅｄ  Ｄｉｓｋ  Ｒｅｃｏｒｄｅｒ）を用いることが好ましい。
【０２２０】さらに、出力装置は、ある画像データを分割して複数の画像信号に変換し、出力できる機能を有していることが好ましい。こうすることで、複数の表示パネルの表示領域からなる表示装置の表示領域に、一つの大きな画像を表示することが可能となる。また入力される画像データをあらかじめ分割する必要がないため、汎用性に優れる。
【０２２１】以上のように、本発明の一態様では、２つの表示パネルが重なっている部分の面積を可変とし、表示領域の面積が可変な表示装置又は電子機器を提供することができる。
【０２２２】本実施の形態は、他の実施の形態と適宜組み合わせることができる。
【０２２３】（実施の形態２）
本実施の形態では、本発明の一態様の電子機器について図１９乃至図２１を用いて説明する。
【０２２４】実施の形態１では、複数の表示パネルを用いて、１つの広い表示領域を形成する例を説明したが、複数の電子機器を用いて、１つの広い表示領域を形成してもよい。例えば、携帯情報端末又は携帯電話機を複数用いてもよい。
【０２２５】＜電子機器の例６＞
図１９（Ａ１）に電子機器３３０の正面図を示し、図１９（Ｂ）に電子機器３３０の背面図を示す。また、図１９（Ａ２）に、図１９（Ａ１）における一点鎖線Ｄ１−Ｄ２間の断面図を示す。
【０２２６】電子機器３３０は、筐体３３１及び表示パネル１００を有する。また、電子機器３３０は、通信手段を有することが好ましい。通信手段としては、無線モジュール及びアンテナ等が挙げられる。また、コネクタ等を用いて有線で通信することができてもよい。
【０２２７】さらに、電子機器３３０は、スピーカ３３２、カメラ３３３ａ、カメラ３３３ｂ、ライト３３４ａ、ライト３３４ｂ、操作ボタン３３５、バッテリ３３６、操作ボタン３３７、マイク３３８、及び外部接続ポート３４２等を有していてもよい。なお、電子機器３３０は、正面と背面の２面にそれぞれカメラ及びライトを有する構成としたが、本発明の一態様はこれに限られない。
【０２２８】図１９（Ａ２）に示すように、電子機器３３０は、表示パネル１００を有する。表示パネル１００としては、例えば、実施の形態１で示した表示パネルを適用することができる。
【０２２９】表示パネル１００は、表示領域１０１及び非表示領域である領域１０２を有する。
【０２３０】非表示領域である領域１０２の一部は、可視光を透過する領域１１０である。電子機器３３０は、可視光を透過する領域１１０を筐体から露出することができる機構を有する。これにより、他の電子機器の表示部と、可視光を透過する領域１１０とを重ねることができる。そして、通信手段を用いて他の電子機器と通信することで、表示領域１０１と他の電子機器の表示領域とを継ぎ目が視認されにくい１つの表示領域として用いることができる。
【０２３１】可視光を透過する領域１１０を露出することができる機構の例について、図１９（Ｃ）〜（Ｆ）を用いて説明する。図１９（Ｃ）〜（Ｆ）は、それぞれ、図１９（Ａ１）における一点鎖線Ｄ１−Ｄ２間の断面図の一例である。
【０２３２】例えば、図１９（Ｃ）に示すように、筐体３３１の一部である領域３３９が着脱可能であってもよい。領域３３９を取り外すことで、可視光を透過する領域１１０を露出することができる。また、可視光を透過する領域１１０だけでなく、表示領域１０１の一部も露出させてもよい。
【０２３３】または、図１９（Ｄ）に示すように、領域３３９が回動可能であってもよい。領域３３９を回動することで、可視光を透過する領域１１０を露出することができる。
【０２３４】なお、図１９（Ｅ）、（Ｆ）に示すように、可視光を透過する領域１１０は、電子機器３３０の背面側でのみ露出する構成であってもよい。例えば、筐体３３１において、表示パネル１００の表示面側に重なる部分のうち、可視光を透過する領域１１０と重なる領域が可視光を透過する場合には、筐体３３１と可視光を透過する領域１１０を介して、他の電子機器の表示パネルの表示を視認することができる。
【０２３５】また、図２０（Ａ１）に電子機器３４０の正面図を示し、図２０（Ｂ）に電子機器３４０の背面図を示す。また、図２０（Ａ２）に、図２０（Ａ１）における一点鎖線Ｄ３−Ｄ４間の断面図を示す。
【０２３６】電子機器３４０は、筐体３３１及び表示パネル１００を有する。また、電子機器３３０は、通信手段を有することが好ましい。通信手段としては、無線モジュール及びアンテナ等が挙げられる。また、コネクタ等を用いて有線で通信することができてもよい。
【０２３７】さらに、電子機器３４０は、スピーカ３３２、カメラ３３３ｂ、ライト３３４ａ、操作ボタン３３５、バッテリ３３６、操作ボタン３３７、マイク３３８、及び外部接続ポート３４２等を有していてもよい。
【０２３８】図２０（Ａ２）に示すように、電子機器３４０は、表示パネル１００を有する。表示パネル１００としては、例えば、実施の形態１で示した表示パネルを適用することができる。
【０２３９】表示パネル１００は、表示領域１０１及び非表示領域である領域１０２を有する。
【０２４０】非表示領域である領域１０２の一部は、可視光を透過する領域１１０である。電子機器３４０は、可視光を透過する領域１１０を筐体から露出することができる機構を有する。これにより、他の電子機器の表示部と、可視光を透過する領域１１０とを重ねることができる。また、電子機器３４０は、表示領域１０１の一部を筐体から露出することができる機構を有する。これにより、他の電子機器の可視光を透過する領域と、表示領域１０１とを重ねることができる。
【０２４１】そして、通信手段を用いて他の電子機器と通信することで、表示領域１０１と他の電子機器の表示領域とを継ぎ目が視認されにくい１つの表示領域として用いることができる。
【０２４２】可視光を透過する領域１１０及び表示領域１０１を露出することができる機構の例について、図２０（Ｃ）〜（Ｆ）を用いて説明する。図２０（Ｃ）〜（Ｆ）は、それぞれ、図２０（Ａ１）における一点鎖線Ｄ３−Ｄ４間の断面図の一例である。
【０２４３】例えば、図２０（Ｃ）に示すように、それぞれ筐体３３１の一部である領域３３９ａ及び領域３３９ｂが着脱可能であってもよい。領域３３９ａ及び領域３３９ｂを取り外すことで、電子機器３４０の表示面の一方の辺から可視光を透過する領域１１０を、対向する他方の辺から表示領域１０１を、それぞれ露出することができる。
【０２４４】または、図２０（Ｄ）に示すように、領域３３９ａ及び領域３３９ｂが回動可能であってもよい。領域３３９ａ及び領域３３９ｂを回動することで、可視光を透過する領域１１０及び表示領域１０１を露出することができる。
【０２４５】なお、図２０（Ｅ）に示すように、可視光を透過する領域１１０は、電子機器３４０の背面側でのみ露出する構成であってもよい。例えば、筐体３３１において、表示パネル１００の表示面側に重なる部分のうち、可視光を透過する領域１１０と重なる領域が可視光を透過する場合には、筐体３３１と可視光を透過する領域１１０を介して、他の電子機器の表示パネルの表示を視認することができる。
【０２４６】また、図２０（Ｅ）に示すように、表示領域１０１は、電子機器３４０の正面側でのみ露出する構成であってもよい。なお、領域３３９ｂにおいて、表示パネル１００の表示面側に重なる部分のうち、表示領域１０１と重なる部分は可視光を透過する。そのため、領域３３９ｂを取り外す又は回動することなく、他の電子機器が有する可視光を透過する領域と、領域３３９ｂとを介して、表示領域１０１の表示を視認することができる。しかし、表示領域１０１と、他の電子機器が有する表示領域とに、段差が生じてしまい、継ぎ目が視認されやすくなるなど、表示品質が低下する可能性がある。そのため、表示領域１０１と、他の電子機器が有する表示領域とは、厚さ方向の距離が狭いほど好ましい。
【０２４７】また、図２０（Ｆ）に示すように、領域３３９ａと領域３３９ｂにおける、可視光を透過する領域１１０又は表示領域１０１を露出することができる機構はそれぞれ別の構成であってもよい。
【０２４８】図２１（Ａ）に、電子機器３４０を３つ用いて１つの表示領域を形成する例を示す。図２１（Ｂ）は、図２１（Ａ）における一点鎖線Ｄ５−Ｄ６間の断面図である。
【０２４９】表示面の一方の辺から可視光を透過する領域１１０を、対向する他方の辺から表示領域１０１を、それぞれ露出することができる電子機器を用いることで、制限なく広い表示領域を形成することができる。具体的には、隣り合う２つの電子機器について、上側の電子機器が有する可視光を透過する領域１１０を、下側の電子機器が有する表示領域１０１に重ねることで、下側の電子機器が有する表示領域１０１全体の表示を視認することができる。そして、上側の電子機器の表示領域と下側の電子機器の表示領域との継ぎ目を視認されにくくすることができ、上側の電子機器と下側の電子機器の表示領域を１つの表示領域として用いることができる。
【０２５０】なお、図２１（Ｃ）に示すように、最も上側に位置する電子機器は、可視光を透過する領域１１０を露出することができる機構のみを有し、表示領域１０１を露出することができる機構を有していなくてもよい。また、最も下側に位置する電子機器は、表示領域１０１を露出することができる機構のみを有し、可視光を透過する領域１１０を露出することができる機構を有していなくてもよい。
【０２５１】なお、本実施の形態では、可視光を透過する領域１１０を露出することができる機構と、表示領域１０１を露出することができる機構とが、電子機器の表示面の互いに対向する辺側に設けられている例を示したが、本発明の一態様はこれに限られない。例えば、電子機器の表示面の短辺側に一方の機構を有し、長辺側に他方の機構を有していてもよい。
【０２５２】また、可視光を透過する領域１１０及び表示領域１０１を露出することができる機構を有していない電子機器を重ねてもよい。具体的には、図２１（Ｄ）に示すように、上側の電子機器が有する、可視光を透過する領域１１０及び可視光を透過する筐体３４９を介して、下側の電子機器が有する表示領域１０１を視認できてもよい。
【０２５３】なお、本実施の形態の電子機器において、表示パネルは可撓性を有することが好ましい。また、表示パネルは、曲面を有していてもよい。
【０２５４】以上のように、本実施の形態の電子機器は、単体で使用することもでき、かつ、他の電子機器と重ねることで、より広い表示領域を有する電子機器の一部として使用することもできる。
【０２５５】本実施の形態は、他の実施の形態と適宜組み合わせることができる。
【０２５６】（実施の形態３）
本実施の形態では、本発明の一態様の表示装置及び電子機器の使用例について図２２を用いて説明する。
【０２５７】本発明の一態様の表示装置又は電子機器は、可撓性を有し、薄型及び軽量であるという特徴を有する。そのため、図２２（Ａ）〜（Ｄ）に示すデバイス８１のように、衣服に取り付けて使用することができる。
【０２５８】デバイス８１を取り付ける位置としては、特に限定はなく、例えば、前身頃、後身頃、襟、袖、又はフードなどが挙げられる。
【０２５９】また、取り付ける衣服に限定はなく、例えば、シャツ、ブラウスなどのトップス、ズボン、スカートなどのボトムス、又はワンピース、つなぎなどが挙げられる。また、スカーフ又はネクタイ等に取り付けてもよい。
【０２６０】図２２（Ａ）ではシャツの前身頃、図２２（Ｂ）では、ポロシャツの前身頃、図２２（Ｃ）ではシャツの襟及び袖、図２２（Ｄ）ではトップスの後身頃及びフード、並びにボトムスにデバイス８１がそれぞれ取り付けられている例を示す。
【０２６１】デバイス８１は、衣服に着脱可能に取り付けられていてもよい。例えば、洗濯によりデバイス８１が破損する可能性がある場合は、衣服から取り外せることが好ましい。
【０２６２】デバイス８１には、例えば、実施の形態１に例示した、表示領域の大きさが可変な表示装置や、実施の形態２に例示した、移動電話や電子メール、文章閲覧及び作成、インターネット通信、コンピュータゲームなどの様々なアプリケーションのうち少なくともいずれか一を実行することができる機能を有し、タッチ操作が可能な電子機器を適用することができる。また、デバイス８１は照明器具であってもよく、例えば、防犯用途で用いてもよい。
【０２６３】また、本発明の一態様の電子機器又は照明装置は可撓性を有するため、家屋やビルの内壁もしくは外壁、又は、自動車の内装もしくは外装の曲面に沿って組み込むことも可能である。
【０２６４】本発明の一態様の表示装置又は電子機器は、表示パネルの数を増やすことにより、表示領域の面積を上限なく大きくすることが可能である。したがって、本発明の一態様の表示装置又は電子機器はデジタルサイネージ、ＰＩＤなどに好適に用いることができる。また、本発明の一態様の表示装置又は電子機器は、表示パネルの配置方法を変えることで、表示領域の外形を様々な形状にすることができる。
【０２６５】図２２（Ｅ）では、柱８５及び壁８６に、デバイス８１を適用した例を示している。デバイス８１に用いる表示パネルとして、可撓性を有する表示パネルを用いることで、曲面に沿ってデバイス８１を設置することが可能となる。
【０２６６】ここで特に、デジタルサイネージ又はＰＩＤに本発明の一態様の表示装置又は電子機器を用いる場合には、表示パネルにタッチパネルを適用することで、表示領域に画像（静止画、動画等）を表示するだけでなく観察者が直感的に操作することが可能となるため好ましい。また、路線情報又は交通情報などの情報を提供するための用途に用いる場合には、直感的な操作によりユーザビリティを高めることができる。なお、ビル又は公共施設などの壁面に設置する場合などは、表示パネルにタッチパネルを適用しなくてもよい。
【０２６７】本実施の形態は、他の実施の形態と適宜組み合わせることができる。
【０２６８】（実施の形態４）
本実施の形態では、２つの表示パネルの積層例について図２３及び図２４を用いて説明する。
【０２６９】図２３及び図２４は、それぞれ、２つの表示パネルを積層した際の断面図の一例である。
【０２７０】図２３（Ａ）〜（Ｅ）の各図において、下側の表示パネルは、表示領域１０１ａ、可視光を透過する領域１１０ａ、及び可視光を遮る領域１２０ａを有する。下側の表示パネルには、ＦＰＣ１１２ａが電気的に接続されている。上側（表示面側）の表示パネルは、表示領域１０１ｂ、可視光を透過する領域１１０ｂ、及び可視光を遮る領域１２０ｂを有する。上側の表示パネルには、ＦＰＣ１１２ｂが電気的に接続されている。
【０２７１】図２３（Ａ）では、ＦＰＣ１１２ａが下側の表示パネルの表示面（おもて面）側に接続され、ＦＰＣ１１２ｂが上側の表示パネルの表示面側に接続されている例を示す。
【０２７２】ここで、上側に位置する表示パネルの可視光を透過する領域と、下側に位置する表示パネルの表示領域との間に空気が存在すると、表示領域から取り出される光の一部は、表示領域と大気の界面、並びに、大気と可視光を透過する領域の界面で、それぞれ反射し、表示の輝度の低下の原因となる場合がある。これにより、複数の表示パネルが重なっている領域の光取り出し効率が低下してしまう。また、上側に位置する表示パネルの可視光を透過する領域と重なる部分と、重ならない部分とで、下側に位置する表示パネルの表示領域の輝度に差が出てしまい、使用者から表示パネルの継ぎ目が認識されやすくなる場合がある。
【０２７３】そこで、図２３（Ｂ）に示すように、表示装置は、表示領域と可視光を透過する領域の間に、空気よりも屈折率が高く、可視光を透過する透光層１０３を有することが好ましい。これにより、表示領域と可視光を透過する領域の間に空気が入ることを抑制でき、屈折率の差による界面での反射を低減することができる。そして、表示装置における表示ムラ又は輝度ムラの抑制が可能となる。
【０２７４】なお、透光層の可視光の透過率が高いほど、表示装置の光取り出し効率を高められるため、好ましい。例えば、透光層において、波長４５０ｎｍ以上７００ｎｍ以下の範囲の光の透過率の平均値は、８０％以上が好ましく、９０％以上がより好ましい。
【０２７５】また、透光層と、透光層と接する層は、屈折率の差が小さいほど、光の反射を抑制することができるため、好ましい。例えば、透光層の屈折率は、空気よりも高く、１．３以上１．８以下であると好ましい。透光層と、透光層と接する層（例えば、表示パネルを構成する基板）は、屈折率の差が０．３０以下であると好ましく、０．２０以下であるとより好ましく、０．１５以下であるとさらに好ましい。
【０２７６】透光層は、下側の表示パネル及び上側の表示パネルの少なくとも一方と、着脱自在に接することが好ましい。例えば、本発明の一態様の電子機器を折りたたむ際は、透光層は、下側の表示パネル又は上側の表示パネルから剥がれることができ、次に該電子機器から表示パネルを引き出すときには、再び下側の表示パネル及び上側の表示パネルの双方を貼り合わせることができると好ましい。
【０２７７】なお、表示パネルが着脱自在である必要がない場合は、透光層に接着性を有する材料（接着剤等）を用いて表示パネル同士を固定してもよい。
【０２７８】透光層には、無機材料又は有機材料のいずれも用いることができる。透光層には、液状物質、ゲル状物質、又は固体状物質を用いることができる。
【０２７９】透光層には、例えば、水、水溶液、フッ素系不活性液体、屈折液、シリコーンオイル等の液状物質を用いることができる。
【０２８０】表示装置を、水平面（重力が働く方向に垂直な面）に傾けて配置する場合、又は水平面と垂直になるように配置する場合等において、液状物質の粘度は、１ｍＰａ・ｓ以上が好ましく、１Ｐａ・ｓ以上がより好ましく、１０Ｐａ・ｓ以上がさらに好ましく、１００Ｐａ・ｓ以上が特に好ましい。なお、表示装置を水平面と平行になるように配置する場合等においては、これに限られない。
【０２８１】透光層は不活性であると、表示装置を構成する他の層にダメージ等を与えることを抑制でき、好ましい。
【０２８２】透光層に含まれる材料は不揮発性であることが好ましい。これにより、透光層に用いた材料が揮発することで界面に空気が入ってしまうことを抑制することができる。
【０２８３】また、透光層には、高分子材料を用いることができる。例えば、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等の樹脂が挙げられる。また、二液混合型の樹脂を用いてもよい。これら樹脂のいずれか一以上を含む、紫外線硬化型等の光硬化型接着剤、反応硬化型接着剤、熱硬化型接着剤、嫌気型接着剤などの各種硬化型接着剤又は接着シート等を用いてもよい。表示パネル同士を固定したくない場合等は、接着剤は硬化させなくてもよい。
【０２８４】透光層は、被着体に対する自己吸着性が高い層であると好ましい。また、透光層は、被着体に対する剥離性が高い層であると好ましい。表示パネルに貼り付けた透光層を剥離した後、表示パネルと再び貼り合わせることができることが好ましい。
【０２８５】また、透光層は粘着性を有さない、又は粘着性が低いことが好ましい。これにより被着体の表面を傷つける、又は汚すことなく、被着体への透光層の吸着、及び、被着体からの透光層の剥離を、繰り返すことができる。
【０２８６】透光層には、例えば、吸着性を有するフィルム、又は粘着性を有するフィルムを用いることができる。また、吸着層又は粘着層と、基材と、の積層構造を有する吸着フィルムを用いる場合、吸着層又は粘着層が、表示装置における透光層として機能し、基材が、表示パネルを構成する基板として機能してもよい。なお、表示装置が吸着フィルムの基材とは別に基板を有していてもよい。吸着フィルムは、アンカー層を、吸着層又は粘着層と、基材との間に有していてもよい。アンカー層は、吸着層又は粘着層と、基材との接着力を向上させる機能を有する。また、アンカー層は、基材の吸着層又は粘着層の塗工面を平滑にする機能を有する。これにより、被着体と透光層の間の気泡を発生しにくくすることができる。
【０２８７】例えば、表示装置には、シリコーン樹脂層とポリエステルフィルムとが積層されたフィルムを好適に用いることができる。このとき、シリコーン樹脂層が吸着性を有し、透光層として機能する。また、ポリエステルフィルムは、表示パネルを構成する基板として機能する。なお、ポリエステルフィルムとは別に、表示パネルを構成する基板を設けてもよい。
【０２８８】なお、吸着層と、基材と、粘着層もしくは接着層と、が積層されたフィルムを用いる場合、吸着層が、表示装置における透光層として機能し、基材が、表示パネルを構成する基板として機能し、粘着層もしくは接着層が、表示パネルの素子層と基板を貼り合わせる層として機能してもよい。
【０２８９】透光層の厚さに特に限定はない。例えば、１μｍ以上５０μｍ以下としてもよい。透光層の厚さは５０μｍより厚くてもよいが、可撓性を有する表示装置を作製する場合には、表示装置の可撓性を損なわない程度の厚さとすることが好ましい。例えば、透光層の厚さは、１０μｍ以上３０μｍ以下が好ましい。また、透光層の厚さは、１μｍ未満であってもよい。
【０２９０】表示領域１０１ａは、透光層１０３を介して、可視光を透過する領域１１０ｂと重なる。したがって、表示領域１０１ａと可視光を透過する領域１１０ｂの間に空気が入ることを抑制でき、屈折率の差による界面での反射を低減することができる。
【０２９１】これにより、可視光を透過する領域１１０ｂと重なる部分と重ならない部分とで、表示領域１０１ａの輝度に差が生じることを抑制し、表示装置の使用者に表示パネルの継ぎ目が認識されにくくすることができる。また、表示装置における表示ムラ又は輝度ムラの抑制が可能となる。
【０２９２】可視光を遮る領域１２０ａ及びＦＰＣ１１２ａは、それぞれ、表示領域１０１ｂと重なる。したがって、非表示領域の面積を十分に確保し、かつ、継ぎ目のない表示領域の大型化を図ることができ、信頼性が高い大型の表示装置を実現できる。
【０２９３】図２３（Ｃ）では、ＦＰＣ１１２ａが下側の表示パネルの表示面とは反対側の面（裏面）側に接続され、ＦＰＣ１１２ｂが上側の表示パネルの表示面とは反対側の面（裏面）側に接続されている例を示す。
【０２９４】図２３（Ｃ）に示すように、透光層１０３は、下側の表示パネルの可視光を遮る領域１２０ａと上側の表示パネルの表示領域１０１ｂとの間にまで設けられていてもよい。
【０２９５】ＦＰＣが表示パネルの裏面側に接続される構成とすることで、下側の表示パネルの端部を上側の表示パネルの裏面に貼り付けることが可能なため、これらの接着面積を大きくでき、貼り合わせ部分の機械的強度を高めることができる。
【０２９６】図２３（Ｄ）に示すように、表示領域１０１ａの、上側の表示パネルと重ならない領域と、透光層１０３とが重なっていてもよい。さらに、可視光を透過する領域１１０ａと透光層１０３とが重なっていてもよい。
【０２９７】また、図２３（Ｅ）に示すように、上側の表示パネルの、表示領域１０１ａと重ならない領域と、透光層１０３とが重なっていてもよい。
【０２９８】また、例えば、図２４（Ａ）に示すように、下側の表示パネルが、基板１５１ａ、基板１５２ａ、素子層１５３ａを有し、上側の表示パネルが、基板１５１ｂ、基板１５２ｂ、素子層１５３ｂを有していてもよい。
【０２９９】素子層１５３ａは、表示素子を含む領域１５５ａ、表示素子と電気的に接続する配線を含む領域１５６ａを有する。領域１５６ａに含まれる配線は、ＦＰＣ１１２ａと電気的に接続される。
【０３００】上側の表示パネルが有する素子層１５３ｂも同様に、表示素子を含む領域１５５ｂ、表示素子と電気的に接続する配線を含む領域１５６ｂを有する。領域１５６ｂに含まれる配線は、ＦＰＣ１１２ｂと電気的に接続される。
【０３０１】基板１５２ａ上には透光層１０３ａが設けられている。例えば、上述の、吸着層と、基材とを積層して有する吸着フィルムを用いて、基板１５２ａ及び透光層１０３ａの積層構造を構成することができる。基板１５２ｂ及び透光層１０３ｂも同様の構成とすることができる。
【０３０２】ここで、透光層の材質によっては、大気中のほこりなど細かなゴミが吸着してしまう場合がある。このような場合は、表示領域１０１ａの、上側の表示パネルと重ならない領域と、透光層１０３とが重ならない方が好ましい。これにより、透光層１０３に付着したゴミ等により、表示装置の表示が不鮮明になることを抑制できる。
【０３０３】図２４（Ｂ）に示すように、基板１５１ａと接して透光層１０３ａが設けられていてもよい。例えば、上述の、吸着層と、基材とを積層して有する吸着フィルムを用いて、基板１５１ａ及び透光層１０３ａの積層構造を構成することができる。基板１５１ｂ及び透光層１０３ｂも同様の構成とすることができる。
【０３０４】図２４（Ｂ）の構成では、表示装置の表示面側の最表面に透光層が位置しないため、透光層１０３に付着したゴミ等により、表示装置の表示が不鮮明になることを防止できる。また、表示装置の裏面に吸着性を有する透光層を配置すると、表示パネルと接していない面を用いて、表示装置を所望の位置に着脱自在に貼り付けることができる。
【０３０５】本実施の形態は、他の実施の形態と適宜組み合わせることができる。
【０３０６】（実施の形態５）
本実施の形態では、表示パネルの一例である発光パネルについて図面を用いて説明する。
【０３０７】本実施の形態では、主に有機ＥＬ素子を用いた発光パネルを例示するが、本発明の一態様の表示装置又は電子機器に用いることができるパネルはこれに限られない。
【０３０８】＜具体例１＞
図２５（Ａ）に発光パネルの平面図を示し、図２５（Ａ）における一点鎖線Ａ１−Ａ２間の断面図の一例を図２５（Ｃ）に示す。図２５（Ｃ）には可視光を透過する領域１１０の断面図の一例も示す。具体例１で示す発光パネルは、カラーフィルタ方式を用いたトップエミッション型の発光パネルである。本実施の形態において、発光パネルは、例えば、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、又はＲ、Ｇ、Ｂ、Ｙ（黄）の４色の副画素で１つの色を表現する構成等が適用できる。色要素としては特に限定はなく、ＲＧＢＷＹ以外の色を用いてもよく、例えば、シアン又はマゼンタ等を用いてもよい。
【０３０９】図２５（Ａ）に示す発光パネルは、可視光を透過する領域１１０、発光部８０４、駆動回路部８０６、ＦＰＣ８０８を有する。可視光を透過する領域１１０は、発光部８０４に隣接し、発光部８０４の２辺に沿って配置されている。
【０３１０】図２５（Ｃ）に示す発光パネルは、基板７０１、接着層７０３、絶縁層７０５、複数のトランジスタ、導電層８５７、絶縁層８１５、絶縁層８１７、複数の発光素子、絶縁層８２１、接着層８２２、着色層８４５、遮光層８４７、絶縁層７１５、接着層７１３、及び基板７１１を有する。接着層８２２、絶縁層７１５、接着層７１３、及び基板７１１は可視光を透過する。発光部８０４及び駆動回路部８０６に含まれる発光素子及びトランジスタは基板７０１、基板７１１、及び接着層８２２によって封止されている。
【０３１１】発光部８０４は、接着層７０３、及び絶縁層７０５を介して基板７０１上にトランジスタ８２０及び発光素子８３０を有する。発光素子８３０は、絶縁層８１７上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。下部電極８３１は可視光を反射することが好ましい。上部電極８３５は可視光を透過する。
【０３１２】また、発光部８０４は、発光素子８３０と重なる着色層８４５と、絶縁層８２１と重なる遮光層８４７と、を有する。発光素子８３０と着色層８４５の間は接着層８２２で充填されている。
【０３１３】絶縁層８１５は、トランジスタを構成する半導体への不純物の拡散を抑制する効果を奏する。また、絶縁層８１７は、トランジスタ起因の表面凹凸を低減するために平坦化機能を有する絶縁層を選択することが好適である。
【０３１４】駆動回路部８０６は、接着層７０３及び絶縁層７０５を介して基板７０１上にトランジスタを複数有する。図２５（Ｃ）では、駆動回路部８０６が有するトランジスタのうち、１つのトランジスタを示している。
【０３１５】絶縁層７０５と基板７０１は接着層７０３によって貼り合わされている。また、絶縁層７１５と基板７１１は接着層７１３によって貼り合わされている。絶縁層７０５及び絶縁層７１５のうち少なくとも一方に防湿性の高い膜を用いると、発光素子８３０及びトランジスタ８２０に水等の不純物が侵入することを抑制でき、発光パネルの信頼性が高くなるため好ましい。
【０３１６】導電層８５７は、駆動回路部８０６に外部からの信号（ビデオ信号、クロック信号、スタート信号、又はリセット信号等）や電位を伝達する外部入力端子と電気的に接続する。ここでは、外部入力端子としてＦＰＣ８０８を設ける例を示している。工程数の増加を防ぐため、導電層８５７は、発光部や駆動回路部に用いる電極や配線と同一の材料、同一の工程で作製することが好ましい。ここでは、導電層８５７を、トランジスタ８２０を構成する電極と同一の材料、同一の工程で作製した例を示す。
【０３１７】図２５（Ｃ）に示す発光パネルでは、ＦＰＣ８０８が基板７１１上に位置する。接続体８２５は、基板７１１、接着層７１３、絶縁層７１５、接着層８２２、絶縁層８１７、及び絶縁層８１５に設けられた開口を介して導電層８５７と接続している。また、接続体８２５はＦＰＣ８０８に接続している。接続体８２５を介してＦＰＣ８０８と導電層８５７は電気的に接続する。導電層８５７と基板７１１とが重なる場合には、基板７１１を開口する（又は開口部を有する基板を用いる）ことで、導電層８５７、接続体８２５、及びＦＰＣ８０８を電気的に接続させることができる。
【０３１８】図２５（Ｂ）に示す発光パネルを２枚重ねて有する表示装置の断面図の一例を図２６に示す。図２６では、下側の発光パネルの表示領域１０１ａ（図２５（Ｂ）に示す発光部８０４と対応）及び可視光を遮る領域１２０ａ（図２５（Ｂ）に示す駆動回路部８０６等に対応）、並びに、上側の発光パネルの表示領域１０１ｂ（図２５（Ｂ）に示す発光部８０４と対応）及び可視光を透過する領域１１０ｂ（図２５（Ｂ）に示す可視光を透過する領域１１０に対応）を示す。
【０３１９】図２６に示す表示装置において、表示面側（上側）に位置する発光パネルは、可視光を透過する領域１１０ｂを表示領域１０１ｂと隣接して有する。下側の発光パネルの表示領域１０１ａと、上側の発光パネルの可視光を透過する領域１１０ｂとが重なっている。したがって、重ねた２つの発光パネルの表示領域の間の非表示領域を縮小すること、さらには無くすことができる。これにより、使用者から発光パネルの継ぎ目が認識されにくい、大型の表示装置を実現することができる。
【０３２０】また、図２６に示す表示装置は、表示領域１０１ａと可視光を透過する領域１１０ｂの間に、空気よりも屈折率が高く、可視光を透過する透光層１０３を有する。これにより、表示領域１０１ａと可視光を透過する領域１１０ｂの間に空気が入ることを抑制でき、屈折率の差による界面での反射を低減することができる。そして、表示装置における表示ムラ又は輝度ムラの抑制が可能となる。
【０３２１】透光層１０３は、下側の発光パネルの基板７１１又は上側の発光パネルの基板７０１の表面全体に重なっていてもよいし、表示領域１０１ａ及び可視光を透過する領域１１０ｂのみと重なっていてもよい。また、基板７１１又は透光層１０３は、可視光を遮る領域１２０ａに含まれていてもよい。
【０３２２】例えば、吸着層と、基材とを積層して有する吸着フィルムを用いて、上側の発光パネルの基板７０１及び透光層１０３の積層構造を構成することができる。
【０３２３】＜具体例２＞
図２５（Ｂ）に発光パネルの平面図を示し、図２５（Ｂ）における一点鎖線Ａ３−Ａ４間の断面図の一例を図２７（Ａ）に示す。具体例２で示す発光パネルは、具体例１とは異なる、カラーフィルタ方式を用いたトップエミッション型の発光パネルである。ここでは、具体例１と異なる点のみ詳述し、具体例１と共通する点は説明を省略する。
【０３２４】図２５（Ｂ）では、発光パネルの３辺にわたって可視光を透過する領域１１０を有する例を示す。そのうち、２辺において、可視光を透過する領域１１０は、発光部８０４と隣接している。
【０３２５】図２７（Ａ）に示す発光パネルは、図２５（Ｃ）に示す発光パネルと下記の点で異なる。
【０３２６】図２７（Ａ）に示す発光パネルは、絶縁層８１７ａ及び絶縁層８１７ｂを有し、絶縁層８１７ａ上に導電層８５６を有する。トランジスタ８２０のソース電極又はドレイン電極と、発光素子８３０の下部電極と、が、導電層８５６を介して、電気的に接続される。
【０３２７】図２７（Ａ）に示す発光パネルは、絶縁層８２１上にスペーサ８２３を有する。スペーサ８２３を設けることで、基板７０１と基板７１１の間隔を調整することができる。
【０３２８】図２７（Ａ）に示す発光パネルは、着色層８４５及び遮光層８４７を覆うオーバーコート８４９を有する。発光素子８３０とオーバーコート８４９の間は接着層８２２で充填されている。
【０３２９】また、図２７（Ａ）に示す発光パネルは、基板７０１と基板７１１とで大きさが異なる。ＦＰＣ８０８が絶縁層７１５上に位置し、基板７１１と重ならない。接続体８２５は、絶縁層７１５、接着層８２２、絶縁層８１７ａ、絶縁層８１７ｂ、及び絶縁層８１５に設けられた開口を介して導電層８５７と接続している。基板７１１に開口を設ける必要がないため、基板７１１の材料が制限されない。
【０３３０】なお、図２７（Ｂ）に示すように、発光素子８３０は、下部電極８３１とＥＬ層８３３の間に、光学調整層８３２を有していてもよい。光学調整層８３２には、透光性を有する導電性材料を用いることが好ましい。カラーフィルタ（着色層）とマイクロキャビティ構造（光学調整層）との組み合わせにより、本発明の一態様の表示装置からは、色純度の高い光を取り出すことができる。光学調整層の膜厚は、各副画素の発光色に応じて変化させる。
【０３３１】＜具体例３＞
図２５（Ｂ）に発光パネルの平面図を示し、図２５（Ｂ）における一点鎖線Ａ３−Ａ４間の断面図の一例を図２７（Ｃ）に示す。具体例３で示す発光パネルは、塗り分け方式を用いたトップエミッション型の発光パネルである。
【０３３２】図２７（Ｃ）に示す発光パネルは、基板７０１、接着層７０３、絶縁層７０５、複数のトランジスタ、導電層８５７、絶縁層８１５、絶縁層８１７、複数の発光素子、絶縁層８２１、スペーサ８２３、接着層８２２、及び基板７１１を有する。接着層８２２及び基板７１１は可視光を透過する。
【０３３３】図２７（Ｃ）に示す発光パネルでは、接続体８２５が絶縁層８１５上に位置する。接続体８２５は、絶縁層８１５に設けられた開口を介して導電層８５７と接続している。また、接続体８２５はＦＰＣ８０８に接続している。接続体８２５を介してＦＰＣ８０８と導電層８５７は電気的に接続する。
【０３３４】＜具体例４＞
図２５（Ｂ）に発光パネルの平面図を示し、図２５（Ｂ）における一点鎖線Ａ３−Ａ４間の断面図の一例を図２８（Ａ）に示す。具体例４で示す発光パネルは、カラーフィルタ方式を用いたボトムエミッション型の発光パネルである。
【０３３５】図２８（Ａ）に示す発光パネルは、基板７０１、接着層７０３、絶縁層７０５、複数のトランジスタ、導電層８５７、絶縁層８１５、着色層８４５、絶縁層８１７ａ、絶縁層８１７ｂ、導電層８５６、複数の発光素子、絶縁層８２１、接着層８２２、及び基板７１１を有する。基板７０１、接着層７０３、絶縁層７０５、絶縁層８１５、絶縁層８１７ａ、及び絶縁層８１７ｂは可視光を透過する。
【０３３６】発光部８０４は、接着層７０３、及び絶縁層７０５を介して基板７０１上にトランジスタ８２０、トランジスタ８２４、及び発光素子８３０を有する。発光素子８３０は、絶縁層８１７上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。上部電極８３５は可視光を反射することが好ましい。下部電極８３１は可視光を透過する。発光素子８３０と重なる着色層８４５を設ける位置は、特に限定されず、例えば、絶縁層８１７ａと絶縁層８１７ｂの間、又は絶縁層８１５と絶縁層８１７ａの間等に設けることができる。
【０３３７】駆動回路部８０６は、接着層７０３及び絶縁層７０５を介して基板７０１上にトランジスタを複数有する。図２８（Ａ）では、駆動回路部８０６が有するトランジスタのうち、２つのトランジスタを示している。
【０３３８】絶縁層７０５と基板７０１は接着層７０３によって貼り合わされている。絶縁層７０５に防湿性の高い膜を用いると、発光素子８３０、トランジスタ８２０、及びトランジスタ８２４に水等の不純物が侵入することを抑制でき、発光パネルの信頼性が高くなるため好ましい。
【０３３９】導電層８５７は、駆動回路部８０６に外部からの信号や電位を伝達する外部入力端子と電気的に接続する。ここでは、外部入力端子としてＦＰＣ８０８を設ける例を示している。また、ここでは、導電層８５７を、導電層８５６と同一の材料、同一の工程で作製した例を示す。
【０３４０】＜具体例５＞
図２８（Ｂ）に具体例１〜４とは異なる発光パネルの例を示す。
【０３４１】図２８（Ｂ）に示す発光パネルは、基板７０１、接着層７０３、絶縁層７０５、導電層８１４、導電層８５７ａ、導電層８５７ｂ、発光素子８３０、絶縁層８２１、接着層８２２、及び基板７１１を有する。
【０３４２】導電層８５７ａ及び導電層８５７ｂは、発光パネルの外部接続電極であり、ＦＰＣ等と電気的に接続させることができる。
【０３４３】発光素子８３０は、下部電極８３１、ＥＬ層８３３、及び上部電極８３５を有する。下部電極８３１の端部は、絶縁層８２１で覆われている。発光素子８３０はボトムエミッション型、トップエミッション型、又はデュアルエミッション型である。光を取り出す側の電極、基板、絶縁層等は、それぞれ可視光を透過する。導電層８１４は、下部電極８３１と電気的に接続する。
【０３４４】光を取り出す側の基板は、光取り出し構造として、半球レンズ、マイクロレンズアレイ、凹凸構造が施されたフィルム、光拡散フィルム等を有していてもよい。例えば、樹脂基板上に上記レンズ又はフィルムを、該基板又は該レンズもしくはフィルムと同程度の屈折率を有する接着剤等を用いて接着することで、光取り出し構造を有する基板を形成することができる。
【０３４５】導電層８１４は必ずしも設ける必要は無いが、下部電極８３１の抵抗に起因する電圧降下を抑制できるため、設けることが好ましい。また、同様の目的で、上部電極８３５と電気的に接続する導電層を絶縁層８２１上、ＥＬ層８３３上、又は上部電極８３５上などに設けてもよい。
【０３４６】導電層８１４は、銅、チタン、タンタル、タングステン、モリブデン、クロム、ネオジム、スカンジウム、ニッケル、アルミニウムから選ばれた材料又はこれらを主成分とする合金材料等を用いて、単層で又は積層して形成することができる。導電層８１４の膜厚は、例えば、０．１μｍ以上３μｍ以下とすることができ、好ましくは、０．１μｍ以上０．５μｍ以下である。
【０３４７】＜材料の一例＞
次に、発光パネルに用いることができる材料等を説明する。なお、本明細書中で先に説明した構成については説明を省略する場合がある。
【０３４８】基板には、ガラス、石英、有機樹脂、金属、合金などの材料を用いることができる。発光素子からの光を取り出す側の基板は、該光を透過する材料を用いる。
【０３４９】特に、可撓性基板を用いることが好ましい。例えば、有機樹脂、又は可撓性を有する程度の厚さのガラス、金属、もしくは合金を用いることができる。
【０３５０】ガラスに比べて有機樹脂は比重が小さいため、可撓性基板として有機樹脂を用いると、ガラスを用いる場合に比べて発光パネルを軽量化でき、好ましい。
【０３５１】基板には、靱性が高い材料を用いることが好ましい。これにより、耐衝撃性に優れ、破損しにくい発光パネルを実現できる。例えば、有機樹脂基板、又は厚さの薄い金属基板もしくは合金基板を用いることで、ガラス基板を用いる場合に比べて、軽量であり、破損しにくい発光パネルを実現できる。
【０３５２】金属材料及び合金材料は、それぞれ、熱伝導性が高く、基板全体に熱を容易に伝導できるため、発光パネルの局所的な温度上昇を抑制することができ、好ましい。金属材料又は合金材料を用いた基板の厚さは、１０μｍ以上２００μｍ以下が好ましく、２０μｍ以上５０μｍ以下であることがより好ましい。
【０３５３】金属基板や合金基板を構成する材料としては、特に限定はないが、例えば、アルミニウム、銅、ニッケル、又は、アルミニウム合金もしくはステンレス等の金属の合金などを好適に用いることができる。
【０３５４】また、基板に、熱放射率が高い材料を用いると発光パネルの表面温度が高くなることを抑制でき、発光パネルの破壊や信頼性の低下を抑制できる。例えば、基板を金属基板と熱放射率の高い層（例えば、金属酸化物又はセラミック材料を用いることができる）の積層構造としてもよい。
【０３５５】可撓性及び透光性を有する材料としては、例えば、実施の形態１で例示した保護基板１３２の材料が挙げられる。
【０３５６】可撓性基板としては、上記材料を用いた層が、装置の表面を傷などから保護するハードコート層（例えば、窒化シリコン層など）、又は押圧を分散可能な材質の層（例えば、アラミド樹脂層など）等と積層されて構成されていてもよい。
【０３５７】可撓性基板は、複数の層を積層して用いることもできる。特に、ガラス層を有する構成とすると、水又は酸素に対するバリア性を向上させ、信頼性の高い発光パネルとすることができる。
【０３５８】例えば、発光素子に近い側からガラス層、接着層、及び有機樹脂層を積層した可撓性基板を用いることができる。当該ガラス層の厚さとしては２０μｍ以上２００μｍ以下、好ましくは２５μｍ以上１００μｍ以下とする。このような厚さのガラス層は、水又は酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層を設けることにより、ガラス層の割れ又はクラックを抑制し、機械的強度を向上させることができる。このようなガラス材料と有機樹脂の複合材料を基板に適用することにより、極めて信頼性が高いフレキシブルな発光パネルとすることができる。
【０３５９】接着層には、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０３６０】また、上記樹脂に乾燥剤を含んでいてもよい。例えば、アルカリ土類金属の酸化物（酸化カルシウム又は酸化バリウム等）のように、化学吸着によって水分を吸着する物質を用いることができる。又は、ゼオライト又はシリカゲル等のように、物理吸着によって水分を吸着する物質を用いてもよい。乾燥剤が含まれていると、水分などの不純物が機能素子に侵入することを抑制でき、発光パネルの信頼性が向上するため好ましい。
【０３６１】また、上記樹脂に屈折率の高いフィラー又は光散乱部材を混合することにより、発光素子からの光取り出し効率を向上させることができる。例えば、酸化チタン、酸化バリウム、ゼオライト、ジルコニウム等を用いることができる。
【０３６２】絶縁層７０５及び絶縁層７１５としては、それぞれ、防湿性の高い絶縁膜を用いることが好ましい。または、絶縁層７０５及び絶縁層７１５は、それぞれ、不純物の発光素子への拡散を防ぐ機能を有していることが好ましい。
【０３６３】防湿性の高い絶縁膜としては、窒化シリコン膜、窒化酸化シリコン膜等の窒素と珪素を含む膜、及び窒化アルミニウム膜等の窒素とアルミニウムを含む膜等が挙げられる。また、酸化シリコン膜、酸化窒化シリコン膜、酸化アルミニウム膜等を用いてもよい。
【０３６４】例えば、防湿性の高い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０３６５】発光パネルにおいて、絶縁層７０５又は絶縁層７１５の少なくとも一方は、発光素子の発光を透過する必要がある。絶縁層７０５又は絶縁層７１５のうち、発光素子の発光を透過する側の絶縁層は、他方の絶縁層よりも、波長４００ｎｍ以上８００ｎｍ以下における光の透過率の平均が高いことが好ましい。
【０３６６】絶縁層７０５及び絶縁層７１５は、それぞれ、酸素、窒素、及びシリコンを有することが好ましい。例えば、絶縁層７０５及び絶縁層７１５は、それぞれ、酸化窒化シリコンを有することが好ましい。また、絶縁層７０５及び絶縁層７１５は、それぞれ、窒化シリコン又は窒化酸化シリコンを有することが好ましい。また、絶縁層７０５及び絶縁層７１５は、それぞれ、酸化窒化シリコン膜及び窒化シリコン膜の積層構造を有し、該酸化窒化シリコン膜及び該窒化シリコン膜は接することが好ましい。酸化窒化シリコン膜と、窒化シリコン膜と、を交互に積層し、逆位相の干渉が可視領域で多く起こるようにすることで、積層体の可視光の透過率を高めることができる。
【０３６７】発光パネルが有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、シリコン、ゲルマニウム、有機半導体等が挙げられる。又は、Ｉｎ−Ｇａ−Ｚｎ系金属酸化物などの、インジウム、ガリウム、亜鉛のうち少なくとも１つを含む酸化物半導体を用いてもよい。
【０３６８】トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０３６９】本発明の一態様では、トランジスタに用いる半導体材料として、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは非晶質とは異なり、欠陥準位が少なく、トランジスタの信頼性を高めることができる。また、ＣＡＡＣ−ＯＳは結晶粒界が確認されないという特徴を有するため、大面積に安定で均一な膜を形成することが可能で、また可撓性を有する発光装置を湾曲させたときの応力によってＣＡＡＣ−ＯＳ膜にクラックが生じにくい。
【０３７０】ＣＡＡＣ−ＯＳは、膜面に対して、結晶のｃ軸が概略垂直配向した結晶性酸化物半導体のことである。酸化物半導体の結晶構造としては他にナノスケールの微結晶集合体であるｎａｎｏ−ｃｒｙｓｔａｌ（ｎｃ）など、単結晶とは異なる多彩な構造が存在することが確認されている。ＣＡＡＣ−ＯＳは、単結晶よりも結晶性が低く、ｎｃに比べて結晶性が高い。
【０３７１】トランジスタの特性安定化等のため、下地膜を設けることが好ましい。下地膜としては、酸化シリコン膜、窒化シリコン膜、酸化窒化シリコン膜、窒化酸化シリコン膜などの無機絶縁膜を用い、単層で又は積層して作製することができる。下地膜はスパッタリング法、ＣＶＤ（Ｃｈｅｍｉｃａｌ  Ｖａｐｏｒ  Ｄｅｐｏｓｉｔｉｏｎ）法（プラズマＣＶＤ法、熱ＣＶＤ法、ＭＯＣＶＤ（Ｍｅｔａｌ  Ｏｒｇａｎｉｃ  ＣＶＤ）法など）、ＡＬＤ（Ａｔｏｍｉｃ  Ｌａｙｅｒ  Ｄｅｐｏｓｉｔｉｏｎ）法、塗布法、印刷法等を用いて形成できる。なお、下地膜は、必要で無ければ設けなくてもよく、この場合、絶縁層７０５がトランジスタの下地膜を兼ねることができる。
【０３７２】発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０３７３】発光素子は、トップエミッション型、ボトムエミッション型、デュアルエミッション型のいずれであってもよい。光を取り出す側の電極には、可視光を透過する導電膜を用いる。また、光を取り出さない側の電極には、可視光を反射する導電膜を用いることが好ましい。
【０３７４】可視光を透過する導電膜は、例えば、酸化インジウム、インジウム錫酸化物（ＩＴＯ：Ｉｎｄｉｕｍ  Ｔｉｎ  Ｏｘｉｄｅ）、インジウム亜鉛酸化物、酸化亜鉛（ＺｎＯ）、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電層として用いることができる。例えば、銀とマグネシウムの合金とＩＴＯの積層膜などを用いると、導電性を高めることができるため好ましい。また、グラフェン等を用いてもよい。
【０３７５】可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料又は合金に、ランタン、ネオジム、又はゲルマニウム等が添加されていてもよい。また、アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、又は銀とマグネシウムの合金等の銀を含む合金を用いて形成することができる。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０３７６】電極は、それぞれ、蒸着法又はスパッタリング法を用いて形成することができる。そのほか、インクジェット法などの吐出法、スクリーン印刷法などの印刷法、又はメッキ法を用いて形成することができる。
【０３７７】下部電極８３１及び上部電極８３５の間に、発光素子の閾値電圧より高い電圧を印加すると、ＥＬ層８３３に陽極側から正孔が注入され、陰極側から電子が注入される。注入された電子と正孔はＥＬ層８３３において再結合し、ＥＬ層８３３に含まれる発光物質が発光する。
【０３７８】ＥＬ層８３３は少なくとも発光層を有する。ＥＬ層８３３は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０３７９】ＥＬ層８３３には低分子系化合物及び高分子系化合物のいずれを用いることもでき、無機化合物を含んでいてもよい。ＥＬ層８３３を構成する層は、それぞれ、蒸着法（真空蒸着法を含む）、転写法、印刷法、インクジェット法、塗布法等の方法で形成することができる。
【０３８０】発光素子８３０は、２以上の発光物質を含んでいてもよい。これにより、例えば、白色発光の発光素子を実現することができる。例えば２以上の発光物質の各々の発光が補色の関係となるように、発光物質を選択することにより白色発光を得ることができる。例えば、Ｒ（赤）、Ｇ（緑）、Ｂ（青）、Ｙ（黄）、又はＯ（橙）等の発光を示す発光物質、又はＲ、Ｇ、Ｂのうち２以上の色のスペクトル成分を含む発光を示す発光物質を用いることができる。例えば、青の発光を示す発光物質と、黄の発光を示す発光物質を用いてもよい。このとき、黄の発光を示す発光物質の発光スペクトルは、緑及び赤のスペクトル成分を含むことが好ましい。また、発光素子８３０の発光スペクトルは、可視領域（例えば３５０ｎｍ以上７５０ｎｍ以下、又は４００ｎｍ以上８００ｎｍ以下など）の範囲内に２以上のピークを有することが好ましい。
【０３８１】ＥＬ層８３３は、複数の発光層を有していてもよい。ＥＬ層８３３において、複数の発光層は、互いに接して積層されていてもよいし、分離層を介して積層されていてもよい。例えば、蛍光発光層と、燐光発光層との間に、分離層を設けてもよい。
【０３８２】分離層は、例えば、燐光発光層中で生成する燐光材料の励起状態から蛍光発光層中の蛍光材料へのデクスター機構によるエネルギー移動（特に三重項エネルギー移動）を防ぐために設けることができる。分離層は数ｎｍ程度の厚さがあればよい。具体的には、０．１ｎｍ以上２０ｎｍ以下、あるいは１ｎｍ以上１０ｎｍ以下、あるいは１ｎｍ以上５ｎｍ以下である。分離層は、単一の材料（好ましくはバイポーラ性の物質）、又は複数の材料（好ましくは正孔輸送性材料及び電子輸送性材料）を含む。
【０３８３】分離層は、該分離層と接する発光層に含まれる材料を用いて形成してもよい。これにより、発光素子の作製が容易になり、また、駆動電圧が低減される。例えば、燐光発光層が、ホスト材料、アシスト材料、及び燐光材料（ゲスト材料）からなる場合、分離層を、該ホスト材料及びアシスト材料で形成してもよい。上記構成を別言すると、分離層は、燐光材料を含まない領域を有し、燐光発光層は、燐光材料を含む領域を有する。これにより、分離層と燐光発光層とを燐光材料の有無で蒸着することが可能となる。また、このような構成とすることで、分離層と燐光発光層を同じチャンバーで成膜することが可能となる。これにより、製造コストを削減することができる。
【０３８４】また、発光素子８３０は、ＥＬ層を１つ有するシングル素子であってもよいし、電荷発生層を介して積層されたＥＬ層を複数有するタンデム素子であってもよい。
【０３８５】発光素子は、一対の防湿性の高い絶縁膜の間に設けられていることが好ましい。これにより、発光素子に水等の不純物が侵入することを抑制でき、発光パネルの信頼性の低下を抑制できる。具体的には、上記のように、絶縁層７０５及び絶縁層７１５として、防湿性の高い絶縁膜を用いると、発光素子が一対の防湿性の高い絶縁膜の間に位置し、発光パネルの信頼性の低下を抑制できる。
【０３８６】絶縁層８１５としては、例えば、酸化シリコン膜、酸化窒化シリコン膜、酸化アルミニウム膜などの無機絶縁膜を用いることができる。また、絶縁層８１７、絶縁層８１７ａ、及び絶縁層８１７ｂとしては、例えば、ポリイミド、アクリル、ポリアミド、ポリイミドアミド、ベンゾシクロブテン系樹脂等の有機材料をそれぞれ用いることができる。また、低誘電率材料（ｌｏｗ−ｋ材料）等を用いることができる。また、絶縁膜を複数積層させることで、各絶縁層を形成してもよい。
【０３８７】絶縁層８２１としては、有機絶縁材料又は無機絶縁材料を用いて形成する。樹脂としては、例えば、ポリイミド樹脂、ポリアミド樹脂、アクリル樹脂、シロキサン樹脂、エポキシ樹脂、又はフェノール樹脂等を用いることができる。特に感光性の樹脂材料を用い、下部電極８３１上に開口部を形成し、その開口部の側壁が連続した曲率を持って形成される傾斜面となるように形成することが好ましい。
【０３８８】絶縁層８２１の形成方法は、特に限定されない。例えば、フォトリソグラフィ法、スパッタリング法、蒸着法、液滴吐出法（インクジェット法等）、印刷法（スクリーン印刷、オフセット印刷等）等を用いることができる。
【０３８９】スペーサ８２３は、無機絶縁材料、有機絶縁材料、金属材料等を用いて形成することができる。例えば、無機絶縁材料又は有機絶縁材料としては、上記絶縁層に用いることができる各種材料が挙げられる。金属材料としては、チタン、アルミニウムなどを用いることができる。導電材料を含むスペーサ８２３と上部電極８３５とを電気的に接続させる構成とすることで、上部電極８３５の抵抗に起因した電位降下を抑制できる。また、スペーサ８２３は、順テーパ形状であっても逆テーパ形状であってもよい。
【０３９０】トランジスタの電極や配線、又は発光素子の補助電極等として機能する、発光パネルに用いる導電層は、例えば、モリブデン、チタン、クロム、タンタル、タングステン、アルミニウム、銅、ネオジム、スカンジウム等の金属材料又はこれらの元素を含む合金材料を用いて、単層で又は積層して形成することができる。また、導電層は、導電性の金属酸化物を用いて形成してもよい。導電性の金属酸化物としては酸化インジウム（Ｉｎ２Ｏ３等）、酸化スズ（ＳｎＯ２等）、ＺｎＯ、ＩＴＯ、インジウム亜鉛酸化物（Ｉｎ２Ｏ３−ＺｎＯ等）又はこれらの金属酸化物材料に酸化シリコンを含ませたものを用いることができる。
【０３９１】着色層は特定の波長帯域の光を透過する有色層である。例えば、赤色、緑色、青色、又は黄色の波長帯域の光を透過するカラーフィルタなどを用いることができる。各着色層は、様々な材料を用いて、印刷法、インクジェット法、フォトリソグラフィ法を用いたエッチング方法などでそれぞれ所望の位置に形成する。また、白色の副画素では、発光素子と重ねて透明等の樹脂を配置してもよい。
【０３９２】遮光層は、隣接する着色層の間に設けられている。遮光層は隣接する発光素子からの光を遮光し、隣接する発光素子間における混色を抑制する。ここで、着色層の端部を、遮光層と重なるように設けることにより、光漏れを抑制することができる。遮光層としては、発光素子からの発光を遮る材料を用いることができ、例えば、金属材料、又は、顔料や染料を含む樹脂材料を用いてブラックマトリクスを形成することができる。なお、遮光層は、駆動回路部などの発光部以外の領域に設けると、導波光などによる意図しない光漏れを抑制できるため好ましい。
【０３９３】また、着色層及び遮光層を覆うオーバーコートを設けてもよい。オーバーコートを設けることで、着色層に含有された不純物等の発光素子への拡散を防止することができる。オーバーコートは、発光素子からの発光を透過する材料から構成され、例えば窒化シリコン膜、酸化シリコン膜等の無機絶縁膜や、アクリル膜、ポリイミド膜等の有機絶縁膜を用いることができ、有機絶縁膜と無機絶縁膜との積層構造としてもよい。
【０３９４】また、接着層の材料を着色層及び遮光層上に塗布する場合、オーバーコートの材料として接着層の材料に対してぬれ性の高い材料を用いることが好ましい。例えば、オーバーコートとして、ＩＴＯ膜などの酸化物導電膜や、透光性を有する程度に薄いＡｇ膜等の金属膜を用いることが好ましい。
【０３９５】接続体としては、様々な異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０３９６】前述の通り、本発明の一態様の表示装置には、発光パネル、表示パネル、タッチパネル等の各種パネルを適用することができる。
【０３９７】表示素子の一例としては、例えば、ＥＬ素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、液晶素子、電気泳動素子、ＭＥＭＳ（マイクロ・エレクトロ・メカニカル・システム）を用いた表示素子等が挙げられる。
【０３９８】なお、本発明の一態様の発光パネルは、表示パネルとして用いてもよいし、照明パネルとして用いてもよい。例えば、バックライト又はフロントライトなどの光源、つまり、表示パネルのための照明パネルとして活用してもよい。
【０３９９】本実施の形態は、他の実施の形態と適宜組み合わせることができる。
【０４００】（実施の形態６）
本実施の形態では、表示パネルの一例であるタッチパネルについて図面を用いて説明する。なお、タッチパネルが有する構成要素のうち、実施の形態５で説明した発光パネルと同様の構成要素については、先の記載も参照することができる。また、本実施の形態では、発光素子を用いたタッチパネルを例示するが、これに限られない。
【０４０１】＜構成例１＞
図２９（Ａ）はタッチパネルの上面図である。図２９（Ｂ）は図２９（Ａ）の一点鎖線Ａ−Ｂ間及び一点鎖線Ｃ−Ｄ間の断面図である。図２９（Ｃ）は図２９（Ａ）の一点鎖線Ｅ−Ｆ間の断面図である。
【０４０２】図２９（Ａ）に示すタッチパネル３９０は、表示部３０１（入力部も兼ねる）、走査線駆動回路３０３ｇ（１）、撮像画素駆動回路３０３ｇ（２）、画像信号線駆動回路３０３ｓ（１）、及び撮像信号線駆動回路３０３ｓ（２）を有する。
【０４０３】表示部３０１は、複数の画素３０２と、複数の撮像画素３０８と、を有する。
【０４０４】画素３０２は、複数の副画素を有する。各副画素は、発光素子及び画素回路を有する。
【０４０５】画素回路は、発光素子を駆動する電力を供給することができる。画素回路は、選択信号を供給することができる配線と電気的に接続される。また、画素回路は、画像信号を供給することができる配線と電気的に接続される。
【０４０６】走査線駆動回路３０３ｇ（１）は、選択信号を画素３０２に供給することができる。
【０４０７】画像信号線駆動回路３０３ｓ（１）は、画像信号を画素３０２に供給することができる。
【０４０８】撮像画素３０８を用いてタッチセンサを構成することができる。具体的には、撮像画素３０８は、表示部３０１に触れる指等を検知することができる。
【０４０９】撮像画素３０８は、光電変換素子及び撮像画素回路を有する。
【０４１０】撮像画素回路は、光電変換素子を駆動することができる。撮像画素回路は、制御信号を供給することができる配線と電気的に接続される。また、撮像画素回路は、電源電位を供給することができる配線と電気的に接続される。
【０４１１】制御信号としては、例えば、記録された撮像信号を読み出す撮像画素回路を選択することができる信号、撮像画素回路を初期化することができる信号、及び撮像画素回路が光を検知する時間を決定することができる信号などを挙げることができる。
【０４１２】撮像画素駆動回路３０３ｇ（２）は、制御信号を撮像画素３０８に供給することができる。
【０４１３】撮像信号線駆動回路３０３ｓ（２）は、撮像信号を読み出すことができる。
【０４１４】図２９（Ｂ）、（Ｃ）に示すように、タッチパネル３９０は、基板７０１、接着層７０３、絶縁層７０５、基板７１１、接着層７１３、及び絶縁層７１５を有する。また、基板７０１及び基板７１１は、接着層３６０で貼り合わされている。
【０４１５】基板７０１と絶縁層７０５は接着層７０３で貼り合わされている。また、基板７１１と絶縁層７１５は接着層７１３で貼り合わされている。
【０４１６】基板、接着層、及び絶縁層に用いることができる材料については実施の形態２を参照することができる。
【０４１７】画素３０２は、副画素３０２Ｒ、副画素３０２Ｇ、及び副画素３０２Ｂを有する（図２９（Ｃ））。また、副画素３０２Ｒは発光ユニット３８０Ｒを有し、副画素３０２Ｇは発光ユニット３８０Ｇを有し、副画素３０２Ｂは発光ユニット３８０Ｂを有する。
【０４１８】例えば副画素３０２Ｒは、発光素子３５０Ｒ及び画素回路を有する。画素回路は、発光素子３５０Ｒに電力を供給することができるトランジスタ３０２ｔを含む。また、発光ユニット３８０Ｒは、発光素子３５０Ｒ及び光学素子（例えば赤色の光を透過する着色層３６７Ｒ）を有する。
【０４１９】発光素子３５０Ｒは、下部電極３５１Ｒ、ＥＬ層３５３、及び上部電極３５２をこの順で積層して有する（図２９（Ｃ））。
【０４２０】ＥＬ層３５３は、第１のＥＬ層３５３ａ、中間層３５４、及び第２のＥＬ層３５３ｂをこの順で積層して有する。
【０４２１】なお、特定の波長の光を効率よく取り出せるように、発光ユニット３８０Ｒにマイクロキャビティ構造を配設することができる。具体的には、特定の光を効率よく取り出せるように配置された可視光を反射する膜及び半反射・半透過する膜の間にＥＬ層を配置してもよい。
【０４２２】例えば、発光ユニット３８０Ｒは、発光素子３５０Ｒと着色層３６７Ｒに接する接着層３６０を有する。
【０４２３】着色層３６７Ｒは発光素子３５０Ｒと重なる位置にある。これにより、発光素子３５０Ｒが発する光の一部は、接着層３６０及び着色層３６７Ｒを透過して、図中の矢印に示すように発光ユニット３８０Ｒの外部に射出される。
【０４２４】タッチパネル３９０は、遮光層３６７ＢＭを有する。遮光層３６７ＢＭは、着色層（例えば着色層３６７Ｒ）を囲むように設けられている。
【０４２５】タッチパネル３９０は、反射防止層３６７ｐを表示部３０１に重なる位置に有する。反射防止層３６７ｐとして、例えば円偏光板を用いることができる。
【０４２６】タッチパネル３９０は、絶縁層３２１を有する。絶縁層３２１はトランジスタ３０２ｔ等を覆っている。なお、絶縁層３２１は画素回路や撮像画素回路に起因する凹凸を平坦化するための層として用いることができる。また、不純物のトランジスタ３０２ｔ等への拡散を抑制することができる絶縁層で、トランジスタ３０２ｔ等を覆うことが好ましい。
【０４２７】タッチパネル３９０は、下部電極３５１Ｒの端部に重なる隔壁３２８を有する。また、基板７０１と基板７１１の間隔を制御するスペーサ３２９を、隔壁３２８上に有する。
【０４２８】画像信号線駆動回路３０３ｓ（１）は、トランジスタ３０３ｔ及び容量３０３ｃを含む。なお、駆動回路は画素回路と同一の工程で同一基板上に形成することができる。図２９（Ｂ）に示すようにトランジスタ３０３ｔは絶縁層３２１上に第２のゲート３０４を有していてもよい。第２のゲート３０４はトランジスタ３０３ｔのゲートと電気的に接続されていてもよいし、これらに異なる電位が与えられていてもよい。また、必要であれば、第２のゲート３０４をトランジスタ３０８ｔ、トランジスタ３０２ｔ等に設けてもよい。
【０４２９】撮像画素３０８は、光電変換素子３０８ｐ及び撮像画素回路を有する。撮像画素回路は、光電変換素子３０８ｐに照射された光を検知することができる。撮像画素回路は、トランジスタ３０８ｔを含む。
【０４３０】例えばｐｉｎ型のフォトダイオードを光電変換素子３０８ｐに用いることができる。
【０４３１】タッチパネル３９０は、信号を供給することができる配線３１１を有し、端子３１９が配線３１１に設けられている。画像信号及び同期信号等の信号を供給することができるＦＰＣ３０９が端子３１９に電気的に接続されている。ＦＰＣ３０９にはプリント配線基板（ＰＷＢ）が取り付けられていてもよい。
【０４３２】なお、トランジスタ３０２ｔ、トランジスタ３０３ｔ、トランジスタ３０８ｔ等のトランジスタは、同一の工程で形成することができる。または、それぞれ異なる工程で形成してもよい。
【０４３３】＜構成例２＞
図３０（Ａ）、（Ｂ）は、タッチパネル５０５の斜視図である。なお明瞭化のため、代表的な構成要素を示す。図３１は、図３０（Ａ）に示す一点鎖線Ｘ１−Ｘ２間の断面図である。
【０４３４】図３０（Ａ）、（Ｂ）に示すように、タッチパネル５０５は、表示部５０１、走査線駆動回路３０３ｇ（１）、及びタッチセンサ５９５等を有する。また、タッチパネル５０５は、基板７０１、基板７１１、及び基板５９０を有する。
【０４３５】タッチパネル５０５は、複数の画素及び複数の配線３１１を有する。複数の配線３１１は、画素に信号を供給することができる。複数の配線３１１は、基板７０１の外周部にまで引き回され、その一部が端子３１９を構成している。端子３１９はＦＰＣ５０９（１）と電気的に接続する。
【０４３６】タッチパネル５０５は、タッチセンサ５９５及び複数の配線５９８を有する。複数の配線５９８は、タッチセンサ５９５と電気的に接続される。複数の配線５９８は基板５９０の外周部に引き回され、その一部は端子を構成する。そして、当該端子はＦＰＣ５０９（２）と電気的に接続される。なお、図３０（Ｂ）では明瞭化のため、基板５９０の裏面側（基板７０１と対向する面側）に設けられるタッチセンサ５９５の電極及び配線等を実線で示している。
【０４３７】タッチセンサ５９５には、例えば静電容量方式のタッチセンサを適用できる。静電容量方式としては、表面型静電容量方式、投影型静電容量方式等がある。ここでは、投影型静電容量方式のタッチセンサを適用する場合を示す。
【０４３８】投影型静電容量方式としては、自己容量方式、相互容量方式などがある。相互容量方式を用いると同時多点検出が可能となるため好ましい。
【０４３９】なお、タッチセンサ５９５には、指等の検知対象の近接又は接触を検知することができるさまざまなセンサを適用することができる。
【０４４０】投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０４４１】電極５９２は、図３０（Ａ）、（Ｂ）に示すように、一方向に繰り返し配置された複数の四辺形が角部で接続された形状を有する。
【０４４２】電極５９１は四辺形であり、電極５９２が延在する方向と交差する方向に繰り返し配置されている。なお、複数の電極５９１は、一の電極５９２と必ずしも直交する方向に配置される必要はなく、９０度未満の角度をなすように配置されてもよい。
【０４４３】配線５９４は電極５９２と交差して設けられている。配線５９４は、電極５９２の１つを挟む２つの電極５９１を電気的に接続する。このとき、電極５９２と配線５９４の交差部の面積ができるだけ小さくなる形状が好ましい。これにより、電極が設けられていない領域の面積を低減でき、光の透過率のムラを低減できる。その結果、タッチセンサ５９５を透過する光の輝度ムラを低減することができる。
【０４４４】なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、光の透過率の異なる領域の面積を低減できるため好ましい。
【０４４５】図３１（Ａ）に示すように、タッチパネル５０５は、基板７０１、接着層７０３、絶縁層７０５、基板７１１、接着層７１３、及び絶縁層７１５を有する。また、基板７０１及び基板７１１は、接着層３６０で貼り合わされている。
【０４４６】接着層５９７は、タッチセンサ５９５が表示部５０１に重なるように、基板５９０を基板７１１に貼り合わせている。接着層５９７は、透光性を有する。
【０４４７】電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０４４８】また、電極５９１、電極５９２、配線５９４などの導電膜、つまり、タッチパネルを構成する配線や電極に用いる材料の抵抗値が低いことが望ましい。一例として、ＩＴＯ、インジウム亜鉛酸化物、ＺｎＯ、銀、銅、アルミニウム、カーボンナノチューブ、グラフェンなどを用いてもよい。さらに、非常に細くした（例えば、直径が数ｎｍ）、多数の導電体を用いて構成される金属ナノワイヤを用いてもよい。一例としては、Ａｇナノワイヤ、Ｃｕナノワイヤ、又はＡｌナノワイヤ等を用いてもよい。Ａｇナノワイヤの場合、例えば、８９％以上の光の透過率、４０Ω／□以上１００Ω／□以下のシート抵抗値を実現することができる。なお、光の透過率が高いため、表示素子に用いる電極、例えば、画素電極や共通電極に、金属ナノワイヤ、カーボンナノチューブ、グラフェンなどを用いてもよい。
【０４４９】透光性を有する導電性材料を基板５９０上にスパッタリング法により成膜した後、フォトリソグラフィ法等の様々なパターニング技術により、不要な部分を除去して、電極５９１及び電極５９２を形成することができる。
【０４５０】電極５９１及び電極５９２は絶縁層５９３で覆われている。また、電極５９１に達する開口が絶縁層５９３に設けられ、配線５９４が隣接する電極５９１を電気的に接続する。透光性の導電性材料は、タッチパネルの開口率を高まることができるため、配線５９４に好適に用いることができる。また、電極５９１及び電極５９２より導電性の高い材料は、電気抵抗を低減できるため配線５９４に好適に用いることができる。
【０４５１】なお、絶縁層５９３及び配線５９４を覆う絶縁層を設けて、タッチセンサ５９５を保護することができる。
【０４５２】また、接続層５９９は、配線５９８とＦＰＣ５０９（２）を電気的に接続する。
【０４５３】表示部５０１は、マトリクス状に配置された複数の画素を有する。画素は、構成例１と同様であるため、説明を省略する。
【０４５４】なお、様々なトランジスタをタッチパネルに適用できる。ボトムゲート型のトランジスタを適用する場合の構成を、図３１（Ａ）、（Ｂ）に示す。
【０４５５】例えば、酸化物半導体、アモルファスシリコン等を含む半導体層を、図３１（Ａ）に示すトランジスタ３０２ｔ及びトランジスタ３０３ｔに適用することができる。
【０４５６】例えば、レーザーアニールなどの処理により結晶化させた多結晶シリコンを含む半導体層を、図３１（Ｂ）に示すトランジスタ３０２ｔ及びトランジスタ３０３ｔに適用することができる。
【０４５７】また、トップゲート型のトランジスタを適用する場合の構成を、図３１（Ｃ）に示す。
【０４５８】例えば、多結晶シリコン又は単結晶シリコン基板等から転置された単結晶シリコン膜等を含む半導体層を、図３１（Ｃ）に示すトランジスタ３０２ｔ及びトランジスタ３０３ｔに適用することができる。
【０４５９】＜構成例３＞
図３２は、タッチパネル５０５Ｂの断面図である。本実施の形態で説明するタッチパネル５０５Ｂは、供給された画像情報をトランジスタが設けられている側に表示する点及びタッチセンサが表示部の基板７０１側に設けられている点が、構成例２のタッチパネル５０５とは異なる。ここでは異なる構成について詳細に説明し、同様の構成を用いることができる部分は、上記の説明を援用する。
【０４６０】着色層３６７Ｒは発光素子３５０Ｒと重なる位置にある。また、図３２（Ａ）に示す発光素子３５０Ｒは、トランジスタ３０２ｔが設けられている側に光を射出する。これにより、発光素子３５０Ｒが発する光の一部は着色層３６７Ｒを透過して、図中に示す矢印の方向の発光ユニット３８０Ｒの外部に射出される。
【０４６１】タッチパネル５０５Ｂは、光を射出する方向に遮光層３６７ＢＭを有する。遮光層３６７ＢＭは、着色層（例えば着色層３６７Ｒ）を囲むように設けられている。
【０４６２】タッチセンサ５９５は、基板７１１側でなく、基板７０１側に設けられている（図３２（Ａ））。
【０４６３】接着層５９７は、タッチセンサ５９５が表示部に重なるように、基板５９０を基板７０１に貼り合わせている。接着層５９７は、透光性を有する。
【０４６４】なお、ボトムゲート型のトランジスタを表示部５０１に適用する場合の構成を、図３２（Ａ）、（Ｂ）に示す。
【０４６５】例えば、酸化物半導体、アモルファスシリコン等を含む半導体層を、図３２（Ａ）に示すトランジスタ３０２ｔ及びトランジスタ３０３ｔに適用することができる。
【０４６６】例えば、多結晶シリコン等を含む半導体層を、図３２（Ｂ）に示すトランジスタ３０２ｔ及びトランジスタ３０３ｔに適用することができる。
【０４６７】また、トップゲート型のトランジスタを適用する場合の構成を、図３２（Ｃ）に示す。
【０４６８】例えば、多結晶シリコン又は単結晶シリコン基板等から転置された単結晶シリコン膜等を含む半導体層を、図３２（Ｃ）に示すトランジスタ３０２ｔ及びトランジスタ３０３ｔに適用することができる。
【０４６９】本実施の形態は、他の実施の形態と適宜組み合わせることができる。
【０４７０】（実施の形態７）
本実施の形態では、表示パネルについて図面を用いて説明する。
【０４７１】図３３（Ａ）において、第１の基板４００１上に設けられた画素部４００２を囲むようにして、シール材４００５が設けられている。画素部４００２は、第１の基板４００１とシール材４００５と第２の基板４００６とによって封止されている。図３３（Ａ）においては、第１の基板４００１上のシール材４００５によって囲まれている領域とは異なる領域に、別途用意された基板上に単結晶半導体又は多結晶半導体で形成された信号線駆動回路４００３、及び走査線駆動回路４００４が実装されている。また、信号線駆動回路４００３、走査線駆動回路４００４、又は画素部４００２に与えられる各種信号及び電位は、ＦＰＣ４０１８ａ、ＦＰＣ４０１８ｂから供給されている。
【０４７２】図３３（Ｂ）、（Ｃ）において、第１の基板４００１上に設けられた画素部４００２と、走査線駆動回路４００４とを囲むようにして、シール材４００５が設けられている。画素部４００２と、走査線駆動回路４００４とは、第１の基板４００１とシール材４００５と第２の基板４００６とによって封止されている。図３３（Ｂ）、（Ｃ）においては、第１の基板４００１上のシール材４００５によって囲まれている領域とは異なる領域に、別途用意された基板上に単結晶半導体又は多結晶半導体で形成された信号線駆動回路４００３が実装されている。図３３（Ｂ）、（Ｃ）においては、信号線駆動回路４００３、走査線駆動回路４００４、又は画素部４００２に与えられる各種信号及び電位は、ＦＰＣ４０１８から供給されている。
【０４７３】また、図３３（Ｂ）、（Ｃ）においては、信号線駆動回路４００３を別途形成し、第１の基板４００１に実装している例を示しているが、この構成に限定されない。走査線駆動回路を別途形成して実装してもよいし、信号線駆動回路の一部又は走査線駆動回路の一部のみを別途形成して実装してもよい。
【０４７４】なお、別途形成した駆動回路の接続方法は、特に限定されるものではなく、ワイヤボンディング、ＣＯＧ、ＴＣＰ、ＣＯＦ等を用いることができる。図３３（Ａ）は、ＣＯＧにより信号線駆動回路４００３、走査線駆動回路４００４を実装する例であり、図３３（Ｂ）は、ＣＯＧにより信号線駆動回路４００３を実装する例であり、図３３（Ｃ）は、ＴＣＰにより信号線駆動回路４００３を実装する例である。
【０４７５】また、第１の基板４００１上に設けられた画素部４００２及び走査線駆動回路４００４は、トランジスタを複数有する。
【０４７６】図３４は、図３３（Ｂ）に示す一点鎖線Ｎ１−Ｎ２間の断面図である。図３４で示すように、表示パネルは電極４０１５を有しており、電極４０１５はＦＰＣ４０１８が有する端子と異方性導電層４０１９を介して、電気的に接続されている。また、電極４０１５は、絶縁層４０２０、及び絶縁層４０２２に形成された開口を介して配線４０１４と電気的に接続されている。
【０４７７】電極４０１５は、第１の電極４０３０と同じ導電層から形成され、配線４０１４は、トランジスタ４０１０、及びトランジスタ４０１１のソース電極及びドレイン電極と同じ導電層で形成されている。
【０４７８】図３４では、電極４０１５と配線４０１４が、絶縁層４０２０及び絶縁層４０２２に形成された一つの開口を介して接続しているが、開口の数は一つに限られない。例えば、開口を複数形成することで、電極４０１５の表面に凹凸が形成されるため、後に形成される電極４０１５と異方性導電層４０１９の接触面積を増やすことができる。よって、ＦＰＣ４０１８と電極４０１５の接続を良好なものとすることができる。
【０４７９】また、第１の基板４００１上に設けられた画素部４００２と、走査線駆動回路４００４は、トランジスタを複数有しており、図３４では、画素部４００２に含まれるトランジスタ４０１０と、走査線駆動回路４００４に含まれるトランジスタ４０１１とを例示している。図３４（Ａ）では、トランジスタ４０１０、トランジスタ４０１１上には絶縁層４０２０が設けられている。なお、絶縁層４０２３は下地層として機能する絶縁層であり、絶縁層４０２２はゲート絶縁層として機能する絶縁層である。
【０４８０】画素部４００２に設けられたトランジスタ４０１０は表示素子と電気的に接続し、表示パネルを構成する。表示素子は表示を行うことができれば特に限定されず、様々な表示素子を用いることができる。
【０４８１】図３４は、表示素子として液晶素子を用いた液晶表示パネルの一例である。図３４において、表示素子である液晶素子４０１３は、第１の電極４０３０、第２の電極４０３１、及び液晶層４００８を含む。なお、液晶層４００８を挟持するように配向膜として機能する絶縁層４０３２、絶縁層４０３３が設けられている。第２の電極４０３１は第２の基板４００６側に設けられ、第１の電極４０３０と第２の電極４０３１とは液晶層４００８を介して重畳する構成を有する。
【０４８２】また、スペーサ４０３５は絶縁層を選択的にエッチングすることで得られる柱状のスペーサであり、第１の電極４０３０と第２の電極４０３１との間隔（セルギャップ）を制御するために設けられている。なお、球状のスペーサを用いていてもよい。
【０４８３】表示素子として、液晶素子を用いる場合、サーモトロピック液晶、低分子液晶、高分子液晶、高分子分散型液晶、強誘電性液晶、反強誘電性液晶等を用いることができる。これらの液晶材料は、条件により、コレステリック相、スメクチック相、キュービック相、カイラルネマチック相、等方相等を示す。また、配向膜を用いないブルー相を示す液晶を用いてもよい。
【０４８４】また、液晶材料の固有抵抗は、１×１０９Ω・ｃｍ以上であり、好ましくは１×１０１１Ω・ｃｍ以上であり、さらに好ましくは１×１０１２Ω・ｃｍ以上である。なお、本明細書における固有抵抗の値は、２０℃で測定した値とする。
【０４８５】液晶表示パネルに設けられる保持容量の大きさは、画素部に配置されるトランジスタのリーク電流等を考慮して、所定の期間の間電荷を保持できるように設定される。保持容量の大きさは、トランジスタのオフ電流等を考慮して設定すればよい。高純度の酸化物半導体層を有するトランジスタを用いることにより、各画素における液晶容量に対して１／３以下、好ましくは１／５以下の容量の大きさを有する保持容量を設ければ充分である。
【０４８６】また、酸化物半導体を用いたトランジスタは、比較的高い電界効果移動度が得られるため、高速駆動が可能である。よって、表示機能を有する半導体装置の画素部に酸化物半導体を用いたトランジスタを用いることで、高画質な画像を提供することができる。また、同一基板上に駆動回路部又は画素部を作り分けて作製することが可能となるため、半導体装置の部品点数を削減することができる。
【０４８７】液晶表示パネルには、ＴＮ（Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード等を用いることができる。
【０４８８】また、ノーマリーブラック型の液晶表示パネル、例えば垂直配向（ＶＡ）モードを採用した透過型の液晶表示パネルとしてもよい。ここで、垂直配向モードとは、液晶表示パネルの液晶分子の配列を制御する方式の一種であり、電圧が印加されていないときにパネル面に対して液晶分子が垂直方向を向く方式である。垂直配向モードとしては、いくつか挙げられるが、例えば、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＡＳＶ（Ａｄｖａｎｃｅｄ  Ｓｕｐｅｒ  Ｖｉｅｗ）モード等を用いることができる。また、画素（ピクセル）をいくつかの領域（サブピクセル）に分け、それぞれ別の方向に分子を倒すよう工夫されているマルチドメイン化あるいはマルチドメイン設計といわれる方法を用いることができる。
【０４８９】また、表示パネルにおいて、ブラックマトリクス（遮光層）、偏光部材、位相差部材、反射防止部材等の光学部材（光学基板）等は適宜設ける。例えば、偏光基板及び位相差基板による円偏光を用いてもよい。また、光源としてバックライト、サイドライト等を用いてもよい。
【０４９０】また、画素部における表示方式は、プログレッシブ方式やインターレース方式等を用いることができる。また、カラー表示する際に画素で制御する色要素としては、ＲＧＢ（Ｒは赤、Ｇは緑、Ｂは青を表す）の三色に限定されない。例えば、ＲＧＢＷ（Ｗは白を表す）、又はＲＧＢに、イエロー、シアン、マゼンタ等を一色以上追加したものがある。なお、色要素のドット毎にその表示領域の大きさが異なっていてもよい。ただし、本発明の一態様はカラー表示の表示パネルに限定されるものではなく、モノクロ表示の表示パネルに適用することもできる。
【符号の説明】
【０４９１】１０    表示装置
１１    表示領域
１５    表示装置
１６    表示装置
３０    支持パネル
３０ａ    支持パネル
３０ｂ    支持パネル
３０ｃ    支持パネル
３１    第１の軸
３１ａ    第１の軸
３１ｂ    第１の軸
３１ｃ    第１の軸
３１ｄ    第１の軸
３２    第２の軸
３２ｃ    第２の軸
３２ｄ    第２の軸
３３    ユニット
３３ａ    ユニット
３３ｂ    ユニット
３３ｃ    ユニット
３３ｄ    ユニット
３３ｅ    ユニット
３３ｆ    ユニット
３３ｇ    ユニット
３３ｈ    ユニット
３５    アーム
３５ａ    アーム
３５ｂ    アーム
３５ｃ    アーム
３５ｄ    アーム
３６    アーム
３６ｃ    アーム
３６ｄ    アーム
３７    アーム
３７ｃ    アーム
３７ｄ    アーム
３８    第３の軸
３９ａ    ヒンジ部
３９ｂ    ヒンジ部
３９ｃ    ヒンジ部
３９ｄ    ヒンジ部
７０    支持パネル
７０ａ    支持パネル
７０ｂ    支持パネル
７０ｃ    支持パネル
８１    デバイス
８５    柱
８６    壁
１００    表示パネル
１００ａ    表示パネル
１００ｂ    表示パネル
１００ｃ    表示パネル
１００ｄ    表示パネル
１００ｆ    表示パネル
１００ｈ    表示パネル
１０１    表示領域
１０１ａ    表示領域
１０１ｂ    表示領域
１０１ｃ    表示領域
１０２    領域
１０２ａ    領域
１０２ｂ    領域
１０３    透光層
１０３ａ    透光層
１０３ｂ    透光層
１１０    可視光を透過する領域
１１０ａ    可視光を透過する領域
１１０ｂ    可視光を透過する領域
１１０ｃ    可視光を透過する領域
１１２ａ    ＦＰＣ
１１２ｂ    ＦＰＣ
１２０    可視光を遮る領域
１２０ａ    可視光を遮る領域
１２０ｂ    可視光を遮る領域
１２０ｃ    可視光を遮る領域
１３２    保護基板
１５１ａ    基板
１５１ｂ    基板
１５２ａ    基板
１５２ｂ    基板
１５３ａ    素子層
１５３ｂ    素子層
１５５ａ    領域
１５５ｂ    領域
１５６ａ    領域
１５６ｂ    領域
２００    電子機器
２０１ａ    筐体
２０１ｂ    筐体
２０５    可視光を透過する領域
２１０    電子機器
２１１    バッテリ
２１２    回路基板
２１３    アンテナ
２５０    電子機器
２５１ａ    筐体
２５１ｂ    筐体
２５２    要
２５３    回路基板
２５４    アンテナ
２５６    バッテリ
２５７    柄
２５８    紐
２６０    電子機器
２６１ａ    筐体
２６１ｂ    筐体
２６２    要
２６７    柄
２６８    紐
２７０    電子機器
２７７    操作ボタン
２７８    柄
２７９    ホルダ
２８０    電子機器
２８９    ホルダ
２９０    アドバルーン
２９１    球体
２９３ａ    筐体
２９３ｂ    筐体
２９４    支持パネル
２９５    電子機器
２９６    ロープ
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３３０    電子機器
３３１    筐体
３３２    スピーカ
３３３ａ    カメラ
３３３ｂ    カメラ
３３４ａ    ライト
３３４ｂ    ライト
３３５    操作ボタン
３３６    バッテリ
３３７    操作ボタン
３３８    マイク
３３９    領域
３３９ａ    領域
３３９ｂ    領域
３４０    電子機器
３４２    外部接続ポート
３４９    筐体
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７ＢＭ    遮光層
３６７ｐ    反射防止層
３６７Ｒ    着色層
３８０Ｂ    発光ユニット
３８０Ｇ    発光ユニット
３８０Ｒ    発光ユニット
３９０    タッチパネル
５０１    表示部
５０５    タッチパネル
５０５Ｂ    タッチパネル
５０９    ＦＰＣ
５９０    基板
５９１    電極
５９２    電極
５９３    絶縁層
５９４    配線
５９５    タッチセンサ
５９７    接着層
５９８    配線
５９９    接続層
７０１    基板
７０３    接着層
７０５    絶縁層
７１１    基板
７１３    接着層
７１５    絶縁層
８０４    発光部
８０６    駆動回路部
８０８    ＦＰＣ
８１４    導電層
８１５    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３３    ＥＬ層
８３５    上部電極
８４５    着色層
８４７    遮光層
８４９    オーバーコート
８５６    導電層
８５７    導電層
８５７ａ    導電層
８５７ｂ    導電層
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１４    配線
４０１５    電極
４０１８    ＦＰＣ
４０１８ａ    ＦＰＣ
４０１８ｂ    ＦＰＣ
４０１９    異方性導電層
４０２０    絶縁層
４０２２    絶縁層
４０２３    絶縁層
４０３０    電極
４０３１    電極
４０３２    絶縁層
４０３３    絶縁層
４０３５    スペーサ
【図１】
2016116833.tif 000003
【図２】
2016116833.tif 000004
【図３】
2016116833.tif 000005
【図４】
2016116833.tif 000006
【図５】
2016116833.tif 000007
【図６】
2016116833.tif 000008
【図７】
2016116833.tif 000009
【図８】
2016116833.tif 000010
【図９】
2016116833.tif 000011
【図１０】
2016116833.tif 000012
【図１１】
2016116833.tif 000013
【図１２】
2016116833.tif 000014
【図１３】
2016116833.tif 000015
【図１４】
2016116833.tif 000016
【図１５】
2016116833.tif 000017
【図１６】
2016116833.tif 000018
【図１７】
2016116833.tif 000019
【図１８】
2016116833.tif 000020
【図１９】
2016116833.tif 000021
【図２０】
2016116833.tif 000022
【図２１】
2016116833.tif 000023
【図２２】
2016116833.tif 000024
【図２３】
2016116833.tif 000025
【図２４】
2016116833.tif 000026
【図２５】
2016116833.tif 000027
【図２６】
2016116833.tif 000028
【図２７】
2016116833.tif 000029
【図２８】
2016116833.tif 000030
【図２９】
2016116833.tif 000031
【図３０】
2016116833.tif 000032
【図３１】
2016116833.tif 000033
【図３２】
2016116833.tif 000034
【図３３】
2016116833.tif 000035
【図３４】
2016116833.tif 000036
【国際調査報告】
2016116833.tif 000037
2016116833.tif 000038
2016116833.tif 000039
2016116833.tif 000040